(57)【要約】【課題】信号処理部の運用状態を保ちながら詳細故障検出を行うことができる基地局装置及び移動端末の故障検出装置並びにそれらの故障検出方法を提供する。【解決手段】割り当てられた設定呼に関する信号処理を行うベースバンド処理手段を複数備える基地局装置の故障検出装置であって、当該基地局装置の故障検出装置は、各ベースバンド処理手段に対してそれぞれ設けられ、その対象ベースバンド処理手段に割り当てられた設定呼の上りチャネルに関する送信電力制御で利用される情報に基づいて、当該対象ベースバンド処理手段に設定された累積呼数及びそのうちの異常呼数をカウントする複数の監視手段と、当該各監視手段により得られる各ベースバンド処理手段の異常呼数及び累積呼数をそれぞれ収集し、収集された異常呼数及び累積呼数に基づいて、当該複数のベースバンド処理手段のうち故障の発生しているベースバンド処理手段を判定する判定手段とを備える。【選択図】図１
2008048160.tif 000002
【特許請求の範囲】
【請求項１】
割り当てられた設定呼に関する信号処理を行うベースバンド処理手段を複数備える基地局装置の故障検出装置において、
前記各ベースバンド処理手段に対してそれぞれ設けられ、その対象ベースバンド処理手段に割り当てられた設定呼の上りチャネルに関する送信電力制御で利用される情報に基づいて、当該対象ベースバンド処理手段に設定された累積呼数及びそのうちの異常呼数をカウントする複数の監視手段と、
前記各監視手段により得られる各ベースバンド処理手段の異常呼数及び累積呼数をそれぞれ収集し、収集された異常呼数及び累積呼数に基づいて、前記複数のベースバンド処理手段のうち故障の発生しているベースバンド処理手段を判定する判定手段と、
を備える基地局装置の故障検出装置。
【請求項２】
前記送信電力制御で利用される情報は、対象ベースバンド処理手段に割り当てられた設定呼を形成する下り信号に設定される送信電力制御情報である請求項１に記載の基地局装置の故障検出装置。
【請求項３】
前記各監視手段は、
前記送信電力制御情報に対応する送信電力増減値を算出する算出手段と、
前記送信電力増減値を所定の周期で参照し、参照時における送信電力増減値が所定の閾値より大きくなる異常回数及びそれ以外の正常回数をそれぞれカウントするカウント手段と、
前記カウント手段により得られる異常回数及び正常回数に基づいて、その正常回数が所定の閾値より大きくなる前に異常回数が所定の閾値より大きくなる呼を異常呼と判断する判断手段と、
をそれぞれ有する請求項２に記載の基地局装置の故障検出装置。
【請求項４】
前記判定手段は、
前記複数のベースバンド処理手段のうち、前記各監視手段により得られる累積呼数が所定の呼数閾値より大きいベースバンド処理手段を故障判定の対象として選択する選択手段と、
前記選択手段により選択された各ベースバンド処理手段に関し、累積呼数のうちの異常呼数の割合となる異常呼発生率をそれぞれ算出する発生率算出手段と、
を有し、
前記選択手段により選択されたベースバンド処理手段の中から、前記発生率算出手段により算出される異常呼発生率が所定の発生率閾値より大きいベースバンド処理手段を故障の発生しているベースバンド処理手段として判定する、
請求項１に記載の基地局装置の故障検出装置。
【請求項５】
前記判定手段は、
前記発生率算出手段により算出された異常呼発生率が所定の異常呼発生率閾値よりも大きいベースバンド処理手段を故障ベースバンド処理手段と予測し、異常呼発生率が所定の正常呼発生率閾値よりも小さいベースバンド処理手段を正常ベースバンド処理手段と予測し、この故障ベースバンド処理手段の数及び正常ベースバンド処理手段の数を取得する予測手段を更に有し、
前記故障ベースバンド処理手段の数が故障判定の対象として選択されたベースバンド処理手段の数に対する故障ベースバンド処理手段の数の所定の故障比率閾値より小さく、前記正常ベースバンド処理手段の数が故障判定の対象として選択されたベースバンド処理手段の数に対する正常ベースバンド処理手段の数の所定の正常比率閾値より大きい場合に、その故障と予測されたベースバンド処理手段を故障の発生しているベースバンド処理手段
として判定する、
請求項４に記載の基地局装置の故障検出装置。
【請求項６】
前記送信電力制御で利用される情報は、対象ベースバンド処理手段に割り当てられた設定呼の上りチャネルに関する送信電力制御に利用される信号干渉電力比の増減値である請求項１に記載の基地局装置の故障検出装置。
【請求項７】
前記各監視手段は、
前記信号干渉電力比の増減値を所定の周期で参照し、参照時における信号干渉電力比の増減値が前回参照時よりも大きく、かつ、所定の閾値より大きくなる異常回数及びそれ以外の正常回数をそれぞれカウントするカウント手段と、
前記カウント手段により得られる異常回数及び正常回数に基づいて、その正常回数が所定の閾値より大きくなる前に異常回数が所定の閾値より大きくなる呼を異常呼と判断する判断手段と、
をそれぞれ有する請求項６に記載の基地局装置の故障検出装置。
【請求項８】
通信相手となる基地局装置を切り替えながら無線通信を行う移動端末の故障検出を行う故障検出装置において、
前記通信相手となる基地局装置との間の下りチャネルに関する送信電力制御で利用される情報に基づいて、ベースバンド処理手段に設定された累積呼数、そのうちの異常呼数及び異常無線リンク数をカウントする監視手段と、
前記監視手段により得られる異常呼数、累積呼数及異常無線リンク数に基づいて、自装置の故障を判定する判定手段と、
を備える移動端末の故障検出装置。
【請求項９】
割り当てられた設定呼に関する信号処理を行うベースバンド処理手段を複数備える基地局装置の故障検出を行う故障検出方法において、
前記各ベースバンド処理手段に対して、その対象ベースバンド処理手段に割り当てられた設定呼の上りチャネルに関する送信電力制御に利用される情報に基づいて、当該対象ベースバンド処理手段に設定された累積呼数及びそのうちの異常呼数をそれぞれカウントする監視ステップと、
前記監視ステップにより得られる各ベースバンド処理手段の異常呼数及び累積呼数をそれぞれ収集し、前記複数のベースバンド処理手段のうち故障の発生しているベースバンド処理手段を判定する判定ステップと、
を備える基地局装置の故障検出方法。
【請求項１０】
通信相手となる基地局装置を切り替えながら無線通信を行う移動端末の故障検出を行う故障検出方法において、
前記通信相手となる基地局装置との間の下りチャネルに関する送信電力制御で利用される情報に基づいて、ベースバンド処理手段に設定された累積呼数、そのうちの異常呼数及び異常無線リンク数をカウントする監視ステップと、
前記監視ステップにより得られる異常呼数、累積呼数及異常無線リンク数に基づいて、自装置の故障を判定する判定ステップと、
を備える移動端末の故障検出方法。
【発明の詳細な説明】
【技術分野】
【０００１】
本発明は、基地局装置及び移動端末内の信号処理部の故障検出装置並びにそれらの故障検出方法に関する。
【背景技術】
【０００２】
無線アクセスネットワークは、基地局に相当するノードＢ（Node-B）、無線リソース制御（ＲＲＣ）、無線リンク制御（ＲＬＣ）等の機能を有し当該基地局を制御する無線ネットワーク制御装置（以降、ＲＮＣと表記する）等の論理ノードにより構成される。図２３は、ＣＤＭＡ（Code Division Multiple Access）移動通信システムにおけるノードＢ周
辺のシステム構成の例を示す図である。
【０００３】
図２３に示すように、ノードＢは、自身の呼設定の容量に応じて複数のベースバンド処理部１０を備える。各ベースバンド処理部１０は、無線変調／復調部１１とハイウェイインタフェース部１２との間で各設定呼の拡散・逆拡散処理、コーディング・デコーディング処理等をそれぞれ行っている。ハイウェイインタフェース部１２は、ノードＢとその上位処理層にあたるＲＮＣとの間のインタフェース機能を担い、無線変調／復調部１１は、送信信号（下り信号）を変調し受信信号（上り信号）を復調する。
【０００４】
図２４は、ノードＢにおけるベースバンド処理部１０の機能構成を示す図である。各ベースバンド処理部１０は、逆拡散部２１、ＲＡＫＥ合成部２２、チャネル推定部２３、デインタリーブ部２５、チャネル復号部２６、ＣＲＣ判定部２７、上り電力制御部３０、チャネル符号化部３１、インタリーブ部３２、拡散部３３、下り送信電力値算出部３５、パイロット生成部３７等をそれぞれ有する。
【０００５】
無線変調／復調部１１から送られる上りの復調信号は、逆拡散部２１において所定のコードで逆拡散され、ＲＡＫＥ合成部２２へ送られる。また、逆拡散されることにより得られた信号からはパイロットシンボルが検出され、この検出されたパイロットシンボルに基づいてチャネル推定部２３によりチャネル推定が行われる。そして、ＲＡＫＥ合成部２２において、マルチパスで伝搬されてきた各信号が当該チャネル推定値で補正（位相補正、振幅補正等）され、重み付け合成（ＲＡＫＥ合成）される。このようにしてＲＡＫＥ合成部２２から出力される上り物理チャネルの制御信号において、それに含まれる送信電力制御用のデータ（ＴＰＣ（Transmit Power Control）ビット）は、下り送信電力値算出部３５に送られ、同制御信号に含まれる受信データフォーマット情報となるＴＦＣＩ（Transport Format Combination Indicator）は、デインタリーブ部２５に送られる。また、検出されたパイロットシンボルは、上り電力制御部３０へ送られる。
【０００６】
ＲＡＫＥ合成部２２から出力される上り物理チャネルのデータ信号は、デインタリーブ部２５により上記ＴＦＣＩが用いられることによりデインタリーブされ、上位処理層へ送るための各トランスポートブロックにそれぞれ分割される。各トランスポートブロックはそれぞれチャネル復号部２６により復号される。ＣＲＣ判定部２７は、この復号された各トランスポートブロックに含まれる巡回冗長検査（ＣＲＣ）ビットを判定する。最終的に、復号された各トランスポートブロック及びそのＣＲＣ判定結果（ＣＲＣＩ）は、ハイウェイインタフェース部１２を経由して上位処理層であるＲＮＣへ送られる。
【０００７】
一方、下り送信信号を構成するトランスポートブロックがＲＮＣからハイウェイインタフェース部１２を経由して送られてきた場合には、これら各トランスポートブロックは、チャネル符号化部３１により符号化され、インタリーブ部３２により所定のフォーマット
においてインタリーブされることにより、下り物理チャネルで伝送される信号とされる。これらの信号は、拡散部３３により所定コードで拡散され、無線変調／復調部１１へ送られる。
【０００８】
このとき、下り送信信号には、上り電力制御部３０から送られるＴＰＣビット値が設定され、パイロット生成部３７から送られるパイロット信号が設定され、下り送信電力値算出部３５から送られる送信電力値に応じた送信電力が与えられる。
【０００９】
このように、ノードＢでは、送信電力制御として、インナループ制御及びアウタループ制御が行われる。図２５は、このような送信電力制御を示す図である。以下、図２５を用いて、インナループ制御及びアウタループ制御の詳細について説明する。
【００１０】
まず、インナループ制御について説明する。上り電力制御部３０では、ＲＡＫＥ合成部２２から送られてくるパイロットシンボルの受信電力が測定され、ＳＩＲ（Signal to Interference Ratio）値が算出される。上り電力制御部３０は、算出されたＳＩＲ測定値と保持されているＳＩＲ目標値とを比較することにより、上り信号の送信電力制御に用いられるためのＴＰＣビット値を得る。具体的には、ＳＩＲ測定値がＳＩＲ目標値よりも大きい場合には、上り送信電力を下げることを示すＴＰＣビット値（０）が得られ、ＳＩＲ測定値がＳＩＲ目標値よりも小さい場合には、上り送信電力を上げることを示すＴＰＣビット値（１）が得られる。このようにして得られたＴＰＣビット値は、下り送信信号に設定される。これにより、その下り信号を受信した端末において、そのＴＰＣビット値に応じて上り信号の送信電力が制御される。
【００１１】
次に、アウタループ制御について説明する。上述したインナループ制御では、上り電力制御部３０においてＳＩＲ測定値とＳＩＲ目標値とが比較され、ＴＰＣビット値が決定されていた。アウタループ制御では、このＳＩＲ目標値が所定の周期で適切な値に更新される。
【００１２】
具体的には、ＲＮＣ２において、受信されたトランスポートブロック単位でＣＲＣＩが検出され、そのＣＲＣＩがエラーを示す場合には、ＳＩＲ増減値（△ｓｉｒ）が所定の増加値分（△ｕｐ）増やされ、そのＣＲＣＩが正常を示す場合には、ＳＩＲ増減値（△ｓｉｒ）が所定の減少値分（Δｄｏｗｎ）減らされる。ＲＮＣ２は、このようにして得られたＳＩＲ増減値を所定の制御タイマ（Ｔ＿ＯＬ）周期でノードＢに通知する。このＳＩＲ増減値は、ベースバンド処理部１０の上り電力制御部３０に送られる。上り電力制御部３０は、このＳＩＲ増減値（△ｓｉｒ）を予め保持されるＳＩＲ初期値（ＳＩＲ＿ｉｎｉ）に加算し、ＳＩＲ目標値（ＳＩＲ＿ｔａｇ）を得る。以降、インナループ制御においてこのＳＩＲ目標値が利用されるようになる。
【００１３】
ところで、このようなノードＢ装置においては、特定の機能部が故障することにより異常現象が発生した場合、装置内部で異常箇所が検出され、運用に支障とならないように該当の機能部の運用を停止する制御が実施される。更に、このように故障が検出された場合には、ノードＢから上位ネットワークを通じ、ノードＢ保守部門へその旨が通知される。
【００１４】
ノードＢ内のベースバンド処理部１０に関しては主に、定期的に実施される単体試験により故障検出が行われる。この定期的な単体試験では、ベースバンド処理部１０内で生成された試験信号を内部疎通させた後で期待値と照合する方法等が用いられる。この方法によれば、ベースバンド処理部における故障部位の詳細確認を行うことができる。
【００１５】
なお、本願発明に係る先行技術文献としては、以下の文献に開示されたものがある。
【特許文献１】特開２００４−３６４３２３号公報
【発明の開示】
【発明が解決しようとする課題】
【００１６】
しかしながら、上述のようなノードＢにおける故障検出方法として採られる定期的な単体試験では、試験対象となるベースバンド処理部の運用を一時的に停止する必要がある。従って、この方法では、ノードＢを正常に稼動させるための故障検出によって、逆にノードＢの稼動効率が低下することになり問題である。
【００１７】
また、その他の故障検出方法として、通常運用呼の疎通状態により故障を検出する方法も用いられるが、従来のこの方法では、詳細部の故障（異常）検出ができないという問題があった。
【００１８】
よって、現状では、信号処理部の詳細部位について故障検出する必要がある場合には、上述のような定期的な単体試験の実施が不可欠となっている。
【００１９】
本発明の目的は、信号処理部の運用状態を保ちながら詳細故障検出を行うことができる基地局装置及び移動端末の故障検出装置並びにそれらの故障検出方法を提供することである。
【課題を解決するための手段】
【００２０】
本発明は、上述した課題を解決するために以下の構成を採用する。即ち、本発明は、割り当てられた設定呼に関する信号処理を行うベースバンド処理手段を複数備える基地局装置の故障検出装置であって、各ベースバンド処理手段に対してそれぞれ設けられ、その対象ベースバンド処理手段に割り当てられた設定呼の上りチャネルに関する送信電力制御で利用される情報に基づいて、当該対象ベースバンド処理手段に設定された累積呼数及びそのうちの異常呼数をカウントする複数の監視手段と、当該各監視手段により得られる各ベースバンド処理手段の異常呼数及び累積呼数をそれぞれ収集し、収集された異常呼数及び累積呼数に基づいて、当該複数のベースバンド処理手段のうち故障の発生しているベースバンド処理手段を判定する判定手段とを備える基地局装置の故障検出装置についてのものである。
【００２１】
本発明では、各ベースバンド処理手段に対してそれぞれ設けられる複数の監視手段と判定手段とにより、複数のベースバンド処理手段のうち故障の発生したベースバンド処理手段が検出される。この検出にあたり、各監視手段では、対象のベースバンド処理手段に割り当てられた設定呼の上りチャネルに関する送信電力制御で利用される情報に基づいて、当該対象のベースバンド処理手段に設定された累積呼数及びそのうちの異常呼数がカウントされ、これらの情報に基づいて故障の発生しているベースバンド処理手段が判定される。
【００２２】
これにより、本発明によれば、ベースバンド処理手段の通常の運用状況において、故障の発生しているベースバンド処理手段を検出することができる。従って、信号処理部の故障検出にあたり当該信号処理部の運用を停止させる必要もないため、信号処理部の稼働率が低下することがない。
【００２３】
更に、本発明によれば、ベースバンド処理手段の送信電力制御で利用される情報に基づいて異常呼が監視され、この監視結果としての累積呼数及び異常呼数に基づいて故障の発生しているベースバンド処理手段が検出されるため、各ベースバンド処理手段についてそれぞれ詳細故障検出を行うことができる。
【００２４】
また、上記基地局装置の故障検出装置に関する第一の態様では、上記送信電力制御で利
用される情報は、対象ベースバンド処理手段に割り当てられた設定呼に関する下り信号に設定される送信電力制御情報である。
【００２５】
更に、上記各監視手段は、上記送信電力制御情報に対応する送信電力増減値を算出する算出手段と、上記送信電力増減値を所定の周期で参照し、参照時における送信電力増減値が所定の閾値より大きくなる異常回数及びそれ以外の正常回数をそれぞれカウントするカウント手段と、このカウント手段により得られる異常回数及び正常回数に基づいて、その正常回数が所定の閾値より大きくなる前に異常回数が所定の閾値より大きくなる呼を異常呼と判断する判断手段とをそれぞれ有する。
【００２６】
上記送信電力制御情報とは、たとえば、ＴＰＣビットである。本発明によれば、上りチャネルの送信電力制御の指示情報となる送信電力制御情報の指示結果にあたる送信電力増減値が用いられることにより、この送信電力増減値が極端に高くなる現象を生ずる呼が異常呼として判断される。
【００２７】
これは、上り信号の送信電力値が極端に低く見積もられ、信号干渉電力比（ＳＩＲ）測定値が常にＳＩＲ目標値より低くなることから、下りチャネルに配置される送信電力制御情報が送信電力を上昇させる値に設定され続けるという現象を検出し、このような呼を異常呼とするものである。
【００２８】
また、上記基地局装置の故障検出装置に関する第二の態様では、上記送信電力制御で利用される情報は、対象ベースバンド処理手段に割り当てられた設定呼の上りチャネルに関する送信電力制御に利用される信号干渉電力比の増減値である。
【００２９】
更に、上記各監視手段は、当該信号干渉電力比の増減値を所定の周期で参照し、参照時における信号干渉電力比の増減値が前回参照時よりも大きく、かつ、所定の閾値より大きくなる異常回数及びそれ以外の正常回数をそれぞれカウントするカウント手段と、このカウント手段により得られる異常回数及び正常回数に基づいて、その正常回数が所定の閾値より大きくなる前に異常回数が所定の閾値より大きくなる呼を異常呼と判断する判断手段とをそれぞれ有する。
【００３０】
本発明では、いわゆるアウタループ制御にて出力される信号干渉電力比の増減値が用いられることにより、この信号干渉電力比の増減値が継続的に極端に高くなる現象を生ずる呼が異常呼として判断される。
【００３１】
これは、アウタループ制御においてトランスポートブロックのＣＲＣ判定においてＮＧが多発した場合、信号干渉電力比の増減値が継続的に増加されるという特性に基づき、そのような場合を上り物理チャネルのデコーディング処理部の故障と判断するものである。
【００３２】
また、本発明は、通信相手となる基地局装置を切り替えながら無線通信を行う移動端末の故障検出を行う故障検出装置であって、当該通信相手となる基地局装置との間の下りチャネルに関する送信電力制御で利用される情報に基づいて、ベースバンド処理手段に設定された累積呼数、そのうちの異常呼数及び異常無線リンク数をカウントする監視手段と、この監視手段により得られる異常呼数、累積呼数及異常無線リンク数に基づいて、自装置の故障を判定する判定手段とを備える移動端末の故障検出装置についてのものである。
【００３３】
本発明では、移動端末の故障検出にあたり、上述の基地局装置の故障検出装置における情報に加えて、更に異常無線リンク数を考慮する。
【００３４】
従って、本発明によれば、基地局装置の故障か移動端末の故障かを適切に判別すること
が可能となる。
【００３５】
なお、本発明は、以上の何れかの機能によって実行される方法であってもよいし、以上の何れかの機能をコンピュータ上で実現させるプログラムであってもよいし、そのようなプログラムを記録したコンピュータが読み取り可能な記憶媒体であってもよい。
【発明の効果】
【００３６】
本発明によれば、信号処理部の運用状態を保ちながら詳細故障検出を行うことができる基地局装置及び端末装置の故障検出装置並びにそれらの故障検出方法を実現することができる。
【発明を実施するための最良の形態】
【００３７】
以下、図面を参照して、それぞれ本発明の実施形態における移動通信システムについて説明する。なお、以下に述べる実施形態の構成は例示であり、本発明は以下の実施形態の構成に限定されない。
【００３８】
［第一実施形態］
本発明の第一実施形態における移動通信システムについて、以下に説明する。
【００３９】
〔システム構成〕
まず、第一実施形態における移動通信システムのシステム構成について、図１を用いて説明する。図１は、第一実施形態における移動通信システムのシステム構成を示すブロック図である。
【００４０】
第一実施形態における移動通信システムは、アンテナ１５、屋外受信増幅器１６、ノードＢ（Node-B）１等を有する基地局装置、この基地局装置を制御する無線ネットワーク制御装置（以降、ＲＮＣと表記する）がネットワークにより接続されることにより構成される。そして、移動端末（以降、ＵＥと表記する）５は、この基地局装置と無線通信を行うことにより本実施形態における移動通信システムと接続する。以下、本実施形態における移動通信システムを構成する各装置及びＵＥ５についてそれぞれ説明する。
【００４１】
〈基地局装置〉
基地局装置は、アンテナ１５、屋外受信増幅器（ＯＡ−ＲＡ（Open Air Receiver Amplifier））１６、ノードＢ（Node-B）１等を有する。基地局装置では、アンテナ１５によ
り受信された信号がＯＡ−ＲＡ１６により増幅されノードＢ１に送られる。また、ユーザへの送信信号は、ノードＢから出力され、ＯＡ−ＲＡ１６を経由してアンテナ１５から送信される。
【００４２】
〈〈ノードＢ〉〉
ノードＢ１は、ハードウェア構成として、以下に示す各機能部をそれぞれ実現する回路（ＩＣチップ等）により構成される。なお、ノードＢ１は、ＣＰＵ（Central Processing
Unit）、メモリ、入出力インタフェース等を備え、このＣＰＵによりメモリに記憶され
るプログラムが実行されることで以下に示す各機能部を実現するようにしてもよい。
【００４３】
ノードＢ１は、アンプ部１７、無線変調／復調部１１、ベースバンド処理部１０（（１）から（Ｎ））、ハイウェイインタフェース部１２、ベースバンドリソース管理部１９等を有する。
【００４４】
無線変調／復調部１１は、ＯＡ−ＲＡ１６から出力される受信信号（上り信号）を受けると、所定の方式で復調し、復調された信号を各ベースバンド処理部１０へそれぞれ送る
。一方、各ベースバンド処理部１０からそれぞれ出力される送信信号（下り信号）を受けた場合には、無線変調／復調部１１は、所定方式において変調し、変調された信号をアンプ部１７へ送る。アンプ部１７は、当該変調信号を無線周波数へ変換し、変換された信号をＯＡ−ＲＡ１６へ送る。
【００４５】
ハイウェイインタフェース部１２は、ノードＢ１とその上位処理層にあたるＲＮＣ２との間のインタフェース機能を担う。
【００４６】
ベースバンド処理部１０は、ノードＢ１の呼設定の容量に応じた数（Ｎ個）分備えられる。以下、ベースバンド処理部１０の詳細について図２を用いて説明する。図２は、第一実施形態におけるベースバンド処理部１０の機能構成を示すブロック図である。各ベースバンド処理部１０は、逆拡散部２１、ＲＡＫＥ合成部２２、チャネル推定部２３、デインタリーブ部２５、チャネル復号部２６、ＣＲＣ判定部２７、上り電力制御部３０、チャネル符号化部３１、インタリーブ部３２、拡散部３３、下り送信電力値算出部３５、パイロット生成部３７、インナループ監視部５１等をそれぞれ有する。本実施形態におけるベースバンド処理部１０は、図２４に示される従来のベースバンド処理部と異なり、インナループ監視部５１が付加されている。このインナループ監視部５１以外の機能部については、従来技術と同様であるため、ここでは説明を省略する。また、本実施形態では、ＵＥ５と基地局装置との間の無線通信には、多重化方式としてＣＤＭＡ（Code Division Multiple Access）方式を利用する場合を例に挙げるが、本発明は、このような多重化方式に限
定されるものではない。
【００４７】
以下、インナループ監視部５１と関連する機能部である上り電力制御部３０について、図３を用いて説明する。図３は、第一実施形態における上り電力制御部３０の機能構成を示すブロック図である。上り電力制御部３０は、ＳＩＲ測定部４１、ＳＩＲ目標値算出部４３、ＴＰＣビット判定部４２等を有する。ＳＩＲ測定部４１は、ＲＡＫＥ合成部２２から送られてくるパイロットシンボルの受信電力を測定し、ＳＩＲ（Signal to Interference Ratio）値を算出する。ＳＩＲ測定部４１により算出されたＳＩＲ測定値（ＳＩＲ＿ｍｅｓ）は、ＴＰＣビット判定部４２に送られる。
【００４８】
ＳＩＲ目標値算出部４３は、アウタループ制御においてＲＮＣ２により求められるＳＩＲ増減値（△ｓｉｒ）をハイウェイインタフェース部１２を経由して受ける。このＳＩＲ増減値（△ｓｉｒ）は、制御タイマ（Ｔ＿ＯＬ）周期毎にＲＮＣ２から送られる。このＳＩＲ増減値（△ｓｉｒ）が送られてくると、ＳＩＲ目標値算出部４３は、予めメモリ等に保持されるＳＩＲ初期値（ＳＩＲ＿ｉｎｉ）とこのＳＩＲ増減値（△ｓｉｒ）とを加算して、新たなＳＩＲ目標値（ＳＩＲ＿ｔａｇ）を算出する。これにより、算出された新たなＳＩＲ目標値（ＳＩＲ＿ｔａｇ）により、ＴＰＣビット判定部４２は、ＴＰＣビットを決定する。なお、制御タイマ（Ｔ＿ＯＬ）は、アウタループ制御の設定値として例えば１０秒と設定される。本発明は、この制御タイマ（Ｔ＿ＯＬ）の設定値を限定するものではない。
【００４９】
ＴＰＣビット判定部４２は、ＳＩＲ測定部４１により算出されたＳＩＲ測定値（ＳＩＲ＿ｍｅｓ）とＳＩＲ目標値算出部４３により算出されたＳＩＲ目標値（ＳＩＲ＿ｔａｇ）とを比較することにより、上り信号の送信電力制御に用いられるためのＴＰＣビット値を得る。具体的には、ＳＩＲ測定値がＳＩＲ目標値よりも大きい場合には、上り送信電力を下げることを示すＴＰＣビット値（０）が得られ、ＳＩＲ測定値がＳＩＲ目標値よりも小さい場合には、上り送信電力を上げることを示すＴＰＣビット値（１）が得られる。このようにして得られたＴＰＣビット値は、下り送信信号に設定される他、インナループ監視部５１に送られる。
【００５０】
以下、インナループ監視部５１について図４を用いて説明する。図４は、インナループ監視部５１の処理概念を示す図である。インナループ監視部５１は、各ベースバンド処理部１０にそれぞれ備えられ、所定の機能部の故障検出を以下のように実行する。インナループ監視部５１において故障検出される機能部としては、例えば、逆拡散部２１より後段処理部であるチャネル推定部２３及びＲＡＫＥ合成部２２がある。
【００５１】
インナループ監視部５１は、上述の上り電力制御部３０から出力されるＴＰＣビット値をスロット周期で受け、そのＴＰＣビット値に基づいて電力増減値（△Ｐｏｗ）を更新する。電力増減値の初期値は０とされ、スロット周期間隔で当該電力増減値は以下のように随時更新される。
【００５２】
ＴＰＣビット値＝１の時、△Ｐｏｗ  ＜＝＝  △Ｐｏｗ  ＋  １
ＴＰＣビット値＝０の時、△Ｐｏｗ  ＜＝＝  △Ｐｏｗ  −  １
例えば、故障検出の対象となるチャネル推定部２３及びＲＡＫＥ合成部２２の機能が正常に動作していない場合、下り信号に設定されるＴＰＣビット値に依存してＵＥ５から送信される信号の送信電力が上昇したとしても、所望の高いＳＩＲ値は得られない。これにより、下り信号に設定されるＴＰＣビットは１に設定され続けることになるため、電力増減値（△Ｐｏｗ）は随時増加することになる。
【００５３】
インナループ監視部５１は、一定時間（Ｔ＿ｐｏｗ）間隔でその時点での電力増減値（△Ｐｏｗ）を読み出し、予めメモリ等に保持される電力増減閾値（△Ｐｏｗ＿ｍａｘ）と比較を行う。インナループ監視部５１は、この比較の結果に応じて、ＴＰＣ＿ＯＫ値もしくはＴＰＣ＿ＮＧ値を更新する。具体的には、電力増減値（△Ｐｏｗ）が電力増減閾値（△Ｐｏｗ＿ｍａｘ）以下となる場合には、ＴＰＣ＿ＯＫ値を１インクリメントする。電力増減値（△Ｐｏｗ）が電力増減閾値（△Ｐｏｗ＿ｍａｘ）より大きくなる場合には、ＴＰＣ＿ＮＧ値を１インクリメントする。なお、当該ＴＰＣ＿ＯＫ値及びＴＰＣ＿ＮＧ値は、呼設定後の上り同期確立時に初期値０に設定される。
【００５４】
ここで、当該電力増減閾値（△Ｐｏｗ＿ｍａｘ）は、一定時間（Ｔ＿ｐｏｗ）内において下り信号に設定されるＴＰＣビット値が１となる回数が異常に多いとみなされる電力増減値（△Ｐｏｗ）の閾値として指定される値である。但し、一定時間（Ｔ＿ｐｏｗ）内において送信可能な下り物理チャネルの最大スロット数をＮ＿ｓｌｏｔとした場合に、電力増減閾値（△Ｐｏｗ＿ｍａｘ）は、以下に示す条件を満たす必要がある。
【００５５】
１ ＜＜  △Ｐｏｗ＿ｍａｘ  ＜  Ｎ＿ｓｌｏｔ  （但し、Ｎ＿ｓｌｏｔ＝１５００×
Ｔ＿ｐｏｗ）
当該ＴＰＣ＿ＯＫ値及びＴＰＣ＿ＮＧ値が更新された後、電力増減値（△Ｐｏｗ）は初期化（０設定）され、一定時間（Ｔ＿ｐｏｗ）間隔で同様の処理が繰り返される。
【００５６】
図５は、インナループ監視部５１におけるＴＰＣ＿ＯＫ値及びＴＰＣ＿ＮＧ値の更新の例を示すグラフである。図５のグラフの縦軸は電力増減値（△Ｐｏｗ）を示し、横軸は呼接続時間を示している。また、縦破線の横軸方向の間隔が一定時間（Ｔ＿ｐｏｗ）（秒）を示す。図５は、ＵＥ５からの上り信号に関し同期確立されてから（呼設定されてから）ＴＰＣ＿ＯＫ値及びＴＰＣ＿ＮＧ値の更新が開始され、上記縦破線におけるタイミングで当該ＴＰＣ＿ＯＫ値及びＴＰＣ＿ＮＧ値が更新され、更新後には、電力増減値（△Ｐｏｗ）が初期化されることを示している。
【００５７】
インナループ監視部５１は、当該ＴＰＣ＿ＯＫ値及びＴＰＣ＿ＮＧ値を監視することにより、更に、以下のようにＣＨ＿ｎｕｍ値及びＮＧ＿ｎｕｍ値を更新する。このＣＨ＿ｎｕｍ値は各ベースバンド処理部１０にそれぞれ設定された呼数の累積値を示し、ＮＧ＿ｎ
ｕｍ値はＣＨ＿ｎｕｍ値中の異常呼とみなされる呼数の累積値を示す。また、ＣＨ＿ｎｕｍ値とＮＧ＿ｎｕｍ値は、特定単位のベースバンドリソース毎に割り当てられており、ノードＢ起動時の初期値はともに０とされる。
【００５８】
インナループ監視部５１は、ＴＰＣ＿ＯＫ値がＴＰＣ＿ＯＫ＿ｍａｘに達する前に、ＴＰＣ＿ＮＧ値がＴＰＣ＿ＮＧ＿ｍａｘに達した場合には、ＮＧ＿ｎｕｍ値及びＣＨ＿ｎｕｍ値をそれぞれ１インクリメントする。一方、ＴＰＣ＿ＮＧ値がＴＰＣ＿ＮＧ＿ｍａｘに達する前に、ＴＰＣ＿ＯＫ値がＴＰＣ＿ＯＫ＿ｍａｘに達した場合には、ＣＨ＿ｎｕｍ値のみを１インクリメントする。閾値としてのＴＰＣ＿ＯＫ＿ｍａｘ及びＴＰＣ＿ＮＧ＿ｍａｘとはそれぞれ予めメモリ等に保持され、ＴＰＣ＿ＯＫ＿ｍａｘ ＋ ＴＰＣ＿ＮＧ＿ｍａｘ ＝ ＴＰＣ＿ｎｕｍという条件を満たすように設定される。このＴＰＣ＿ｎｕｍは、一定時間（Ｔ＿ｐｏｗ）分のサンプル数を示す。なお、ＴＰＣ＿ＯＫ値及びＴＰＣ＿ＮＧ値がいずれも当該閾値に達する前に設定呼が切断されリソースが開放された場合、その呼に関しては判定対象から除外し、上記計算処理は実施されない。また、ＣＨ＿ｎｕｍ値が更新されると、ＴＰＣ＿ＯＫ値及びＴＰＣ＿ＮＧ値は初期化（０）され、これらの値は次の呼設定があるまで更新されない。
【００５９】
ところで、電力増減値（△Ｐｏｗ）の読み出し周期である一定時間（Ｔ＿ｐｏｗ）は、スロット周期が６６０マイクロ秒（μｓ）の場合に、例えば１００ミリ秒（ｍｓ）と設定される。この例では、電力増減値（△Ｐｏｗ）が１５０回更新される度に、当該ＴＰＣ＿ＯＫ値及びＴＰＣ＿ＮＧ値が１回更新されることになる。なお、この一定時間（Ｔ＿ｐｏｗ）は、当該基地局装置の設置環境等に応じて調整可能な値であり、本発明はこの値を限定するものではない。
【００６０】
また、インナループ監視部５１の処理により更新された累積呼数（ＣＨ＿ｎｕｍ）と累積異常呼数（ＮＧ＿ｎｕｍ）とは、ベースバンドリソース管理部１９に利用される。ベースバンドリソース管理部１９に当該ＣＨ＿ｎｕｍ値及びＮＧ＿ｎｕｍ値が読み込まれると、インナループ監視部５１は、当該ＣＨ＿ｎｕｍ値及びＮＧ＿ｎｕｍ値を初期値（０）に戻す。
【００６１】
ベースバンドリソース管理部１９は、一定時間（Ｔ(ＩＬ)＿ｒｅｆ）間隔において、全ベースバンド処理部１０（ベースバンドリソース数＝Ｎ）のインナループ監視部５１からＣＨ＿ｎｕｍ値及びＮＧ＿ｎｕｍ値を読み込み、故障の発生しているベースバンド処理部を判定する。以下、図６を用いて、ベースバンドリソース管理部５１について説明する。図６は、第一実施形態におけるベースバンドリソース管理部の機能構成を示す図である。ベースバンドリソース管理部１９は、判定対象選択部６１、発生率算出部６２、前判定部６３、故障リソース判定部６４等を有する。
【００６２】
判定対象選択部６１は、一定時間（Ｔ(ＩＬ)＿ｒｅｆ）間隔で読み込まれたベースバンド処理部（１）−（Ｎ）のそれぞれのＣＨ＿ｎｕｍ値及びＮＧ＿ｎｕｍ値から、故障判定の対象とするベースバンド処理部を選択する。具体的には、判定対象選択部６１は、累積呼数（ＣＨ＿ｎｕｍ[ｉ]（ｉ：ベースバンド処理部の番号））が所定の閾値（ＣＨ＿ｎｕｍ＿ｍｉｎ）未満となるベースバンド処理部を故障判定対象から除外する。累積呼数が少ない場合には、故障判定の精度が悪くなるからである。そこで、ＣＨ＿ｎｕｍ＿ｍｉｎは、故障判定を行うための呼のサンプル数として十分な値に設定され、予めメモリ等に調整可能な値として保持される。
【００６３】
判定対象選択部６１は、故障判定の対象として選択された各ベースバンド処理部のＣＨ＿ｎｕｍ値及びＮＧ＿ｎｕｍ値をそれぞれ発生率算出部６２に渡す。当該故障判定対象から除外されたベースバンド処理部の数をＤとすれば、判定対象として選択されたベースバ
ンド処理部の数は、（Ｎ−Ｄ）個となる。
【００６４】
発生率算出部６２は、判定対象選択部６１から送られる（Ｎ−Ｄ）組のＣＨ＿ｎｕｍ値及びＮＧ＿ｎｕｍ値に基づいて、故障判定対象とされた各ベースバンド処理部の異常呼発生率Ｐ［ｉ］を以下のようにそれぞれ算出する。算出された異常呼発生率Ｐ［ｉ］は前判定部６３に送られる。
【００６５】
異常呼発生率:Ｐ[ｉ]  ＝  ＮＧ＿ｎｕｍ[ｉ]／ＣＨ＿ｎｕｍ[ｉ]
前判定部６３は、発生率算出部６２から送られる異常呼発生率に基づいて、故障の可能性があると予測されるベースバンド処理部の数（以降、故障予測リソース数とも表記する）と故障の可能性がないと予測されるベースバンド処理部の数（以降、正常予測リソース数とも表記する）とを算出する。具体的には、前判定部６３は、正常予測閾値（Ｐ＿ＯＫ）及び異常予測閾値（Ｐ＿ＮＧ）と各異常呼発生率とをそれぞれ比較することにより故障予測リソース数及び正常予測リソース数を算出する。
【００６６】
ここで、Ｐ＿ＮＧ値は、Ｐ［ｉ］≧Ｐ＿ＮＧであればベースバンド処理部（ｉ）に故障の可能性があるとみなすことができるような値とする必要があり、Ｐ＿ＯＫは、Ｐ［ｉ］＜Ｐ＿ＯＫであればベースバンド処理部（ｉ）に故障の可能性がないとみなすことができるような値とする必要がある。正常予測閾値（Ｐ＿ＯＫ）及び異常予測閾値（Ｐ＿ＮＧ）は、それぞれ予めメモリ等に調整可能に保持され、０＜Ｐ＿ＯＫ＜Ｐ＿ＮＧ＜１の条件を満たす値に設定される。算出された故障予測リソース数及び正常予測リソース数は、故障リソース判定部６４に渡される。
【００６７】
故障リソース判定部６４は、前判定部６３から送られる故障予測リソース数及び正常予測リソース数に基づき、故障が発生したベースバンド処理部を判定する。故障リソース判定部６４は、故障判定の対象とするベースバンド処理部の数（Ｎ−Ｄ）に対する故障予測リソース数の最大比率Ｒ＿ＮＧ（％）、故障判定の対象とするベースバンド処理部の数（Ｎ−Ｄ）に対する正常予測リソース数の最小比率Ｒ＿ＯＫ（％）を予めメモリ等に調整可能に保持する。ここで、Ｒ＿ＮＧ＋Ｒ＿ＯＫ＝１００（％）とする。但し、故障は特定少数のベースバンド処理部でのみ個別で発生するものとみなし、原則としてＲ＿ＮＧ値及びＲ＿ＯＫ値はＲ＿ＮＧ＜＜Ｒ＿ＯＫの条件を満たすように設定される。
【００６８】
故障リソース判定部６４は、この保持される値を用いた以下の２つの条件を満たしている場合に、そのときの故障予測リソース数に含まれるベースバンド処理部を故障が発生したベースバンド処理部と判定する。
【００６９】
（条件１）故障予測リソース数  ≦  （Ｎ−Ｄ）×Ｒ＿ＮＧ／（Ｒ＿ＮＧ＋Ｒ＿ＯＫ）
（条件２）正常予測リソース数  ≧  （Ｎ−Ｄ）×Ｒ＿ＯＫ／（Ｒ＿ＮＧ＋Ｒ＿ＯＫ）
このようなベースバンドリソース管理部１９での故障判定は、外部要因による異常現象ではなく、特定ベースバンド処理部（リソース）の故障による異常現象を特定するため、故障部以外の他のリソースの正常性を明確化している。
【００７０】
〈無線ネットワーク制御装置（ＲＮＣ）〉
ＲＮＣ２は、ハードウェア構成として、ＣＰＵ（Central Processing Unit）、メモリ
、入出力インタフェース等を備え、このＣＰＵによりメモリに記憶されるプログラムが実行されることで一般的な無線ネットワーク制御装置としての機能を実現する。本発明は、ＲＮＣ２の機能を限定するものではない。
【００７１】
本発明においてＲＮＣ２に関連する機能としては、アウタループ制御によりＳＩＲ増減値（△ｓｉｒ）を決定し、決定された△ｓｉｒをノードＢ１に通知する機能がある。ＲＮ
Ｃ２は、ノードＢ１から送られるトランスポートブロックに関し、ＣＲＣＩを検出し、そのＣＲＣＩに基づいて、ＳＩＲ増減値（△ｓｉｒ）を算出する。
【００７２】
〈移動端末（ＵＥ）〉
ＵＥ５は、無線インタフェース機能を有し、この無線インタフェースにより実現される通信方式により、その位置を通信エリアとする基地局装置と無線電波を送受信する。本実施形態は、ＵＥ５の機能を限定するものではない。
【００７３】
〔動作例〕
次に、第一実施形態における基地局装置の動作例について説明する。
【００７４】
ＵＥ５は、本移動通信システムの提供する通話サービス等を受けるために、その存在する位置に応じて所定の基地局装置と無線通信を行う。ＵＥ５から送信された無線信号は、基地局装置のアンテナ１５で受信され、ＯＡ−ＲＡ１６で増幅され、ノードＢ１に送られる。基地局装置のノードＢ１では、受信された上り信号が、無線変調／復調部１１において変調され、複数のベースバンド処理部１０のいずれか１つに送られる。
【００７５】
各ベースバンド処理部１０では、呼設定された信号に関し、デインタリーブ、チャネル復号等の信号処理が施され、トランスポートブロックが抽出される。このように取得されたトランスポートブロックは、上位処理層であるＲＮＣ２へハイウェイインタフェース部１２を介して送られる。
【００７６】
また、各ベースバンド処理部１０では、受信された上り信号からパイロットシンボルが検出され、そのパイロットシンボルを用いたインナループ制御がそれぞれ実行される。このインナループ制御により取得されるＴＰＣビットは、チャネル符号化、インタリーブ等が施された下り送信信号に設定される。このように生成された下り信号は、アンプ部１７において周波数変換され、ＯＡ−ＲＡ１６を経由して、アンテナ１５からＵＥ５へ送信される。
【００７７】
一方、ＲＮＣ２では、アウタループ制御が実行され、ノードＢ１から送られるトランスポートブロック毎のＣＲＣＩに基づき、ＴＴＩ（Trasmission Time Interval）周期でＳ
ＩＲ増減値（△ｓｉｒ）が更新される。このＳＩＲ増減値は、制御タイマ（Ｔ＿ＯＬ）周期でその呼に対応するベースバンド処理部１０の上り電力制御部３０に通知され、インナループ制御に利用される。
【００７８】
本実施形態における基地局装置では、ノードＢ１に備えられるベースバンドリソース管理部１９及びノードＢ１の各ベースバンド処理部１０にそれぞれ備えられるインナループ監視部５１が、故障の発生したベースバンド処理部を検出する。
【００７９】
インナループ監視部５１は、上り電力制御部３０からスロット周期で出力されるインナループ制御の結果であるＴＰＣビットを受け、このＴＰＣビットに基づいて、そのベースバンド処理部において処理された累積呼数（ＣＨ＿ｎｕｍ）及び累積異常呼数（ＮＧ＿ｎｕｍ）を取得する。
【００８０】
インナループ監視部５１は、ＴＰＣビットの入力時に更新される電力増減値（△Ｐｏｗ）と予め保持される電力増減閾値（△Ｐｏｗ＿ｍａｘ）との比較により、一定周期（Ｔ＿ｐｏｗ）において電力増減値が極端に大きい（電力増減閾値より大きい）と判断された回数（ＴＰＣ＿ＮＧ値）とそうでない回数（ＴＰＣ＿ＯＫ値）を求める。
【００８１】
インナループ監視部５１は、電力増減値が極端に大きいわけではないと判断された回数
（ＴＰＣ＿ＯＫ値）が正常閾値（ＴＰＣ＿ＯＫ＿ｍａｘ）より大きいと判断されるより前に、電力増減値が極端に大きいと判断された回数（ＴＰＣ＿ＮＧ値）が異常閾値（ＴＰＣ＿ＮＧ＿ｍａｘ）より大きいと判断された場合に、そのときの呼を異常呼としてカウントする（ＮＧ＿ｎｕｍ値をインクリメントする）。このように累積されるＮＧ＿ｎｕｍ値及びＣＨ＿ｎｕｍ値は、一定時間（Ｔ（ＩＬ）＿ｒｅｆ）間隔でベースバンドリソース管理部１９に読み込まれ、その後、初期化される。
【００８２】
ベースバンドリソース管理部１９は、各ベースバンド処理部１０においてそれぞれ累積された累積呼数（ＣＨ＿ｎｕｍ）及び累積異常呼数（ＮＧ＿ｎｕｍ）に基づいて、故障が発生しているベースバンド処理部１０を判定する。
【００８３】
これには、まず、判定対象選択部６１により、累積呼数が故障判定する上で最低限必要と考えられる呼数（ＣＨ＿ｎｕｍ＿ｍｉｎ）に満たないベースバンド処理部が除外される。続いて、故障判定の対象として選択された各ベースバンド処理部に関し、その累積呼数及び累積異常呼数に基づいて、異常呼発生率Ｐ［ｉ］が発生率算出部６２によりそれぞれ算出される。続いて、前判定部６３により、異常呼発生率が所定の閾値（Ｐ＿ＮＧ）より大きくなっているベースバンド処理部が故障予測リソースとしてカウントされることにより故障予測リソース数が求められ、異常呼発生率が所定の閾値（Ｐ＿ＯＫ）より小さくなっているベースバンド処理部が正常予測リソースとしてカウントされることにより正常予測リソース数が求められる。
【００８４】
最終的には、この故障予測リソース数が故障判定対象となるベースバンド処理部の数（Ｎ−Ｄ）に対する故障予測リソース数の最大比率Ｒ＿ＮＧ（％）以下であり、正常予測リソース数が故障判定対象となるベースバンド処理部の数（Ｎ−Ｄ）に対する正常予測リソース数の最小比率Ｒ＿ＯＫ（％）以上となる場合に、その故障予測リソースとして判定された各ベースバンド処理部がそれぞれ故障発生のベースバンド処理部と判定される。
【００８５】
〈第一実施形態における作用及び効果〉
すなわち、第一実施形態における基地局装置では、ノードＢ１に備えられるベースバンドリソース管理部１９及びノードＢ１の各ベースバンド処理部１０にそれぞれ備えられるインナループ監視部５１によって、故障の発生したベースバンド処理部が検出される。
【００８６】
各ベースバンド処理部１０のインナループ監視部５１では、各ベースバンド処理部１０に設定された呼（チャネル）に関し、上り電力制御部３０で得られるＴＰＣビットがスロット周期で入力され、このＴＰＣビット値の時間加算が行われる（電力増減値（△Ｐｏｗ））。結果として、インナループ監視部５１では、当該ベースバンド処理部１０に設定される呼の累積数（ＣＨ＿ｎｕｍ値）と、この電力増減値が極端に高くなる現象が生ずる異常呼の累積数（ＮＧ＿ｎｕｍ値）がそれぞれカウントされる。
【００８７】
これら各ベースバンド処理部１０で得られた呼の累積数（ＣＨ＿ｎｕｍ値）と異常呼の累積数（ＮＧ＿ｎｕｍ値）とがベースバンドリソース管理部１９にそれぞれ読み込まれ、ベースバンドリソース管理部１９によって故障が発生しているベースバンド処理部１０が判定される。この判定では、呼の累積数が正確な故障判定をするうえで必要な呼数となっているものが選択され、各ベースバンド処理部について算出される異常呼発生率が用いられる。
【００８８】
このように、本実施形態における基地局装置では、ノードＢ１に備えられる各ベースバンド処理部におけるインナループ制御の出力であるＴＰＣビットが用いられることにより、故障の発生したベースバンド処理部が特定される。
【００８９】
これにより、上り信号の同期確立後のチャネル推定部２３、ＲＡＫＥ合成部２２及びその周辺インタフェースにおいて発生した故障を検出することができるようになる。
【００９０】
このような故障が発生した場合には、上り電力制御部３０において上り希望波の電力値が極端に低く見積もられ、高いＳＩＲ測定値が検出されない状態が継続し、ＳＩＲ測定値が常に設定呼のＳＩＲ目標値より低くなるため、下り物理チャネルにマッピングされるＴＰＣビットが送信電力を上昇させるような値に設定され続けるという現象を検出するものである。
【００９１】
本実施形態よれば、インナループ監視部５１及びベースバンドリソース管理部１９によりこのような信号処理部の詳細な故障を検出することができる。
【００９２】
更に、このような信号処理部の故障を検出するにあたり、当該信号処理部の運用を停止させる必要もないため、稼働率が低下することもない。
【００９３】
［第二実施形態］
本発明の第二実施形態に係る移動通信システムについて以下に説明する。先に説明した第一実施形態に係る移動通信システムは、基地局装置において、インナループ制御の結果としての出力であるＴＰＣビットを用いて故障の発生したベースバンド処理部を判定していた。第二実施形態における移動通信システムの基地局装置は、アウタループ制御の結果としての出力であるＳＩＲ増減値（△ｓｉｒ）を用いて故障の発生したベースバンド処理部を判定する。
【００９４】
〔システム構成〕
システム構成については、図１に示す第一実施形態と同様である。以下に説明する第二実施形態の構成は例示であり、本発明は以下の構成に限定されるものではない。
【００９５】
また、第二実施形態における移動通信システムを構成するＵＥ５及びＲＮＣ２については第一実施形態と同様であるため、説明を省略する。以下、第二実施形態における移動通信システムの基地局装置について説明する。
【００９６】
〈基地局装置〉
第二実施形態における基地局装置は、ノードＢ１内のベースバンド処理部１０の機能のみが第一実施形態とは異なるため、以下にはベースバンド処理部１０の機能について図７を用いて説明する。図７は、第二実施形態におけるベースバンド処理部１０の機能構成を示すブロック図である。
【００９７】
〈〈ノードＢ〉〉
ベースバンド処理部１０は、ノードＢ１の有する呼設定の容量に応じた数（Ｎ個）分備えられる。第二実施形態におけるベースバンド処理部１０は、第一実施形態におけるインナループ監視部５１に替え、アウタループ監視部５２を備える。このアウタループ監視部５２以外の機能部については、第一実施形態と同様であるため、ここでは説明を省略する。なお、上り電力制御部３０については、このアウタループ監視部５２と関連する機能部であるため、図８を用いて以下に説明する。図８は、第二実施形態における上り電力制御部３０の機能構成を示すブロック図である。
【００９８】
上り電力制御部３０は、ＲＮＣ２から制御タイマ（Ｔ＿ＯＬ）周期でＳＩＲ増減値（△ｓｉｒ）を受けると、それを保持しつつ、別途アウタループ監視部５２へ送る。当該ＳＩＲ増減値（△ｓｉｒ）の呼設定時での初期値は０に設定され、該当呼においてアウタループ制御が実施された際に随時更新される。この点についても第一実施形態と同様である。
上り電力制御部３０内のそれ以外の機能については第一実施形態と同様であるため、ここでは説明を省略する。
【００９９】
以下、アウタループ監視部５２について図９を用いて説明する。図９は、アウタループ監視部５２の処理概念を示す図である。アウタループ監視部５２は、各ベースバンド処理部１０にそれぞれ備えられ、所定の機能部の故障検出を以下のように実行する。アウタループ監視部５２において故障検出される機能部としては、例えば、上り物理チャネルビット判定以後の処理部であるデインタリーブ部２５及びチャネル復号部２６がある。
【０１００】
アウタループ監視部５２は、一定時間（Ｔ＿ｓｉｒ）間隔でその時点でのＳＩＲ増減値（△ｓｉｒ）を読み出し、予めメモリ等に保持されるＳＩＲ増減閾値（△ｓｉｒ＿ｍａｘ）と比較を行う。このＴ＿ｓｉｒは、当該基地局装置の設置環境等に応じて調整可能な値で予めメモリ等に保持される。但し、このＴ＿ｓｉｒには、ＲＮＣ２からＳＩＲ増減値（△ｓｉｒ）が通知される周期（Ｔ＿ＯＬ）より長い時間（Ｔ＿ｓｉｒ≧Ｔ＿ＯＬ）が設定される。
【０１０１】
アウタループ監視部５２は、この比較の結果に応じて、ＳＩＲ＿ＯＫ値もしくはＳＩＲ＿ＮＧ値を更新する。当該ＳＩＲ＿ＯＫ値は、Ｔ＿ｓｉｒ間隔での比較において正常と判断された回数を示し、当該ＳＩＲ＿ＮＧ値は、Ｔ＿ｓｉｒ間隔での比較において異常と判断された回数を示す。当該ＳＩＲ＿ＯＫ値及びＳＩＲ＿ＮＧ値は、呼設定後の上り同期確立時の初期値は０とされ、ＳＩＲ＿ＯＫ値は、或るタイミングで異常と判断された場合に、初期化（０）される。
【０１０２】
正常若しくは異常の判断については、ＳＩＲ増減値（△ｓｉｒ）がＳＩＲ増減閾値（△ｓｉｒ＿ｍａｘ）より小さい場合に、正常と判断される。また、ＳＩＲ増減値（△ｓｉｒ）がＳＩＲ増減閾値（△ｓｉｒ＿ｍａｘ）以上であり、かつ、前回のタイミング（Ｔ＿ｓｉｒ時間前）で参照されたＳＩＲ増減値（△ｓｉｒ）未満である場合にも、正常と判断される。一方、ＳＩＲ増減値（△ｓｉｒ）が、ＳＩＲ増減閾値（△ｓｉｒ＿ｍａｘ）以上であり、かつ、前回のタイミング（Ｔ＿ｓｉｒ時間前）で参照されたＳＩＲ増減値（△ｓｉｒ）以上である場合には、異常と判断される。
【０１０３】
ここで、ＳＩＲ増減閾値（△ｓｉｒ＿ｍａｘ）は呼種別毎に指定される値であり、Δｓｉｒ＿ｍａｘ＞０を満たす値に設定される。また、アウタループ制御により設定されるＳＩＲ増減値（△ｓｉｒ）には上限値と下限値とが定義されるため、Δｓｉｒ＿ｍａｘの値はＳＩＲ増減値（△ｓｉｒ）が定義されている上限値を超えない範囲での値に設定される。
【０１０４】
図１０、１１及び１２は、アウタループ監視部５２におけるＳＩＲ＿ＯＫ値及びＳＩＲ＿ＮＧ値の更新に関する３つの例を示すグラフである。図１０、１１及び１２のグラフの縦軸はＳＩＲ増減値（△ｓｉｒ）を示し、横軸は呼接続時間を示している。また、縦破線の横軸方向の間隔が一定時間（Ｔ＿ｓｉｒ）（秒）を示す。図１０、１１及び１２は、ＵＥ５からの上り信号に関し同期確立されてから（呼設定されてから）ＳＩＲ＿ＯＫ値及びＳＩＲ＿ＮＧ値の更新が開始され、上記縦破線におけるタイミングで当該ＳＩＲ＿ＯＫ値及びＳＩＲ＿ＮＧ値が更新されることを示している。また、上矢印で示される箇所、すなわちＳＩＲ増減値（△ｓｉｒ）で示される箇所は、アウタループ制御が実施されたタイミングを示している。
【０１０５】
アウタループ監視部５２は、当該ＳＩＲ＿ＯＫ値及びＳＩＲ＿ＮＧ値を監視することにより、更に、以下のようにＣＨ＿ｎｕｍ値及びＮＧ＿ｎｕｍ値を更新する。このＣＨ＿ｎｕｍ値は各ベースバンド処理部１０にそれぞれ設定された呼数の累積値を示し、ＮＧ＿ｎ
ｕｍ値はＣＨ＿ｎｕｍ値中の異常呼とみなされる呼数の累積値を示す。また、ＣＨ＿ｎｕｍ値とＮＧ＿ｎｕｍ値は、特定単位のベースバンドリソース毎に割り当てられており、ノードＢ装置起動時の初期値はともに０とされる。
【０１０６】
アウタループ監視部５２は、ＳＩＲ＿ＯＫ値がＳＩＲ＿ＯＫ＿ｍａｘに達する前に、ＳＩＲ＿ＮＧ値がＳＩＲ＿ＮＧ＿ｍａｘに達した場合には、ＮＧ＿ｎｕｍ値及びＣＨ＿ｎｕｍ値をそれぞれ１インクリメントする。一方、ＳＩＲ＿ＮＧ値がＳＩＲ＿ＮＧ＿ｍａｘに達する前に、ＳＩＲ＿ＯＫ値がＳＩＲ＿ＯＫ＿ｍａｘに達した場合には、ＣＨ＿ｎｕｍ値のみを１インクリメントする。
【０１０７】
閾値としてのＳＩＲ＿ＯＫ＿ｍａｘ及びＳＩＲ＿ＮＧ＿ｍａｘとはそれぞれ予めメモリ等に調整可能に保持される。ＳＩＲ＿ＯＫ＿ｍａｘの値は、設定呼が正常と判定する際に、正常動作時間として必要な時間を示す。すなわち、ＳＩＲ＿ＯＫ＿ｍａｘの回数分だけ正常と判断される状態が連続していれば、設定呼は正常呼と判定される。一方、ＳＩＲ＿ＮＧ＿ｍａｘの値は、本実施形態では最良の値として「２」に設定されるものとする。これは、Ｔ＿ｓｉｒ及び制御タイマ（Ｔ＿ＯＬ）の時間がインナループ制御における上り信号のＴＰＣビットの更新周期に比べて十分に長い時間となっていることに基づくものでもある。なお、本発明は、このＳＩＲ＿ＮＧ＿ｍａｘの値を「２」に限定するものではなく、Ｔ＿ｓｉｒ及び制御タイマ（Ｔ＿ＯＬ）に設定される時間に応じて調整可能である。
【０１０８】
本実施形態では、ＳＩＲ＿ＯＫ＿ｍａｘの回数分だけ正常と判断される状態が連続する前に、異常と判断される状態が２回現れた場合、その時点で設定呼は異常呼と判定される（図１１及び１２の例において、ＮＧ（異常）状態が２回連続した場合に異常呼と判定される)。なお、ＳＩＲ＿ＯＫ値及びＳＩＲ＿ＮＧ値がいずれも当該閾値に達する前に設定
呼が切断されリソースが開放された場合、その呼に関しては判定対象から除外し、上記計算処理は実施されない。また、ＣＨ＿ｎｕｍ値が更新されると、ＳＩＲ＿ＯＫ値及びＳＩＲ＿ＮＧ値は初期化（０）され、これらの値は次の呼設定があるまで更新されない。
【０１０９】
アウタループ監視部５２の処理により更新された累積呼数（ＣＨ＿ｎｕｍ）と累積異常呼数（ＮＧ＿ｎｕｍ）とは、ベースバンドリソース管理部１９に利用される。ベースバンドリソース管理部１９に当該ＣＨ＿ｎｕｍ値及びＮＧ＿ｎｕｍ値が読み込まれると、アウタループ監視部５２は、当該ＣＨ＿ｎｕｍ値及びＮＧ＿ｎｕｍ値を初期値（０）に戻す。
【０１１０】
ベースバンドリソース管理部１９については、当該ＣＨ＿ｎｕｍ値及びＮＧ＿ｎｕｍ値を得る先がアウタループ監視部５２であること、及び、その読み込み間隔が一定時間（Ｔ（ＯＬ）＿ｒｅｆ）であることを除いては、第一実施形態と同様である。
【０１１１】
すなわち、ベースバンドリソース管理部１９は、一定時間（Ｔ(ＯＬ)＿ｒｅｆ）間隔において、全ベースバンド処理部１０（ベースバンドリソース数＝Ｎ）のアウタループ監視部５２からＣＨ＿ｎｕｍ値及びＮＧ＿ｎｕｍ値を読み込み、故障の発生しているベースバンド処理部を判定する。図１３に、第二実施形態におけるベースバンドリソース管理部５１の機能構成を示している。
【０１１２】
ここで、上述のように本実施形態においてＳＩＲ＿ＮＧ＿ｍａｘの値を「２」に設定する理由について説明する。まず、ＳＩＲ＿ＮＧ値が「２」に達するケースとして、以下の２つのケースが考えられる。
【０１１３】
（ケース１）ＳＩＲ＿ＮＧ値が「０」の状態から、ＳＩＲ増減値（△ｓｉｒ）が２回連続の比較タイミング（２×Ｔ＿ｓｉｒ）で異常と判断された場合。
【０１１４】
（ケース２）最初にＳＩＲ増減値（△ｓｉｒ）が異常と判断されてから（ＳＩＲ＿ＮＧ値「１」）、ＳＩＲ増減値（△ｓｉｒ）の正常状態が続き、ＳＩＲ値がＳＩＲ＿ＯＫ＿ｍａｘに達する前に、再度ＳＩＲ増減値（△ｓｉｒ）が異常と判断された場合。
【０１１５】
（ケース１）については、アウタループ制御によってＳＩＲ増減値（△ｓｉｒ）がＳＩＲ増減閾値（△ｓｉｒ＿ｍａｘ）を越えると上り受信品質は過剰となるため、本来、再度のアウタループ制御により次の一定周期（Ｔ＿ｓｉｒ）後にはＳＩＲ増減値（△ｓｉｒ）が前よりも下がるはずである。従って、２回連続の比較タイミングで異常と判断される場合は、ＳＩＲ増減値（△ｓｉｒ）が極端に高くなっても(閾値を越えても)、品質が改善されていないと判断することができる。
【０１１６】
（ケース２）については、復号処理部（デインタリーブ部２５及びチャネル復号部２６等）の故障時の現象が該当する。復号処理部の故障時の現象としては、品質劣化が連続的に発生するものと、品質劣化が特定の周期で単発的に発生するものの２種類が考えられる。前者は（ケース１）と同様であるが、後者については（ケース１）と同様には考えることができない。
【０１１７】
この後者のような現象に対応するために、閾値ＳＩＲ＿ＯＫ＿ｍａｘが定義されている。ＳＩＲ＿ＯＫ値がＳＩＲ＿ＯＫ＿ｍａｘに達しておらず、ＳＩＲ増減値（△ｓｉｒ）の異常状態が一度も検出されなければ、異常状態が特定の周期で発生しているのではない、すなわち、復号処理部に故障が発生していないと判断することができる。
【０１１８】
すなわち、本実施形態では、ＳＩＲ増減値（△ｓｉｒ）が１度異常状態となったが（ＳＩＲ＿ＮＧ値が１となったが）、その後、「Ｔ＿ｓｉｒ×ＳＩＲ＿ＯＫ＿ｍａｘ」時間以内の間、ＳＩＲ増減値（△ｓｉｒ）が正常状態を維持していれば、品質劣化は一時的なものであり、復号処理部の故障に起因するものではないと判断する。
【０１１９】
一方、ＳＩＲ増減値（△ｓｉｒ）が１度異常状態となったが、その後、「Ｔ＿ｓｉｒ×ＳＩＲ＿ＯＫ＿ｍａｘ」時間以内の間に、再度ＳＩＲ増減値（△ｓｉｒ）が異常状態と判断された場合、品質劣化は周期的に発生するものであり（ケース２に相当）、復号処理部の故障に起因する可能性があると判断する。
【０１２０】
〔動作例〕
次に、第二実施形態における基地局装置の動作例について説明する。
【０１２１】
第二実施形態における基地局装置は、アウタループ制御の結果としての出力であるＳＩＲ増減値（△ｓｉｒ）を用いて故障の発生したベースバンド処理部を判定する。すなわち、本実施形態における基地局装置では、ノードＢ１に備えられるベースバンドリソース管理部１９及びノードＢ１の各ベースバンド処理部１０にそれぞれ備えられるアウタループ監視部５２が、故障の発生したベースバンド処理部を検出する。
【０１２２】
アウタループ監視部５２は、上り電力制御部３０から出力されるＳＩＲ増減値（△ｓｉｒ）を一定周期（Ｔ＿ｓｉｒ）で参照し、このＳＩＲ増減値（△ｓｉｒ）に基づいて、そのベースバンド処理部において処理された累積呼数（ＣＨ＿ｎｕｍ）及び累積異常呼数（ＮＧ＿ｎｕｍ）を得る。
【０１２３】
アウタループ監視部５２は、当該ＳＩＲ増減値（△ｓｉｒ）と予め保持されるＳＩＲ増減閾値（△Ｓｉｒ＿ｍａｘ）との比較により、一定周期（Ｔ＿ｓｉｒ）においてＳＩＲ増減値が極端に大きく（ＳＩＲ増減閾値より大きく）、前回参照時のＳＩＲ増減値よりも更に大きくなっていると判断された回数（ＳＩＲ＿ＮＧ値）とそうでない回数（ＳＩＲ＿Ｏ
Ｋ値）を求める。
【０１２４】
アウタループ監視部５２は、このＳＩＲ＿ＯＫ値が正常閾値（ＳＩＲ＿ＯＫ＿ｍａｘ）より大きいと判断されるより前に、ＳＩＲ増減値が極端に継続的に大きいと判断された回数（ＴＰＣ＿ＮＧ値）が異常閾値（ＳＩＲ＿ＮＧ＿ｍａｘ（本実施形態では「２」を採用））より大きいと判断された場合に、そのときの呼を異常呼としてカウントする（ＮＧ＿ｎｕｍ値をインクリメントする）。このように累積されるＮＧ＿ｎｕｍ値及びＣＨ＿ｎｕｍ値は、一定時間（Ｔ（ＯＬ）＿ｒｅｆ）間隔でベースバンドリソース管理部１９に読み込まれ、その後、初期化される。
【０１２５】
ベースバンドリソース管理部１９は、各ベースバンド処理部１０においてそれぞれ累積された累積呼数（ＣＨ＿ｎｕｍ）及び累積異常呼数（ＮＧ＿ｎｕｍ）に基づいて、故障が発生しているベースバンド処理部１０を第一実施形態と同様な方法により判定する。
【０１２６】
〈第二実施形態における作用及び効果〉
すなわち、第二実施形態における基地局装置では、ノードＢ１に備えられるベースバンドリソース管理部１９及びノードＢ１の各ベースバンド処理部１０にそれぞれ備えられるアウタループ監視部５２によって、故障の発生したベースバンド処理部が検出される。
【０１２７】
各ベースバンド処理部１０のアウタループ監視部５２では、各ベースバンド処理部１０に設定された呼（チャネル）に関し、ＲＮＣ２のアウタループ制御により出力されるＳＩＲ増減値（△ｓｉｒ）が極端に継続的に大きくなる状態及びそれ以外の通常の状態が監視される（ＳＩＲ＿ＮＧ値及びＳＩＲ＿ＯＫ値）。更に、当該ベースバンド処理部１０に設定される呼の累積数（ＣＨ＿ｎｕｍ値）と、このＳＩＲ増減値が極端に継続的に大きくなる状態となる異常呼の累積数（ＮＧ＿ｎｕｍ値）がそれぞれカウントされる。
【０１２８】
これら各ベースバンド処理部１０で得られた呼の累積数（ＣＨ＿ｎｕｍ値）と異常呼の累積数（ＮＧ＿ｎｕｍ値）とがベースバンドリソース管理部１９にそれぞれ読み込まれ、ベースバンドリソース管理部１９によって故障が発生しているベースバンド処理部１０が判定される。
【０１２９】
このように、本実施形態における基地局装置では、ノードＢ１に備えられる各ベースバンド処理部に対してのアウタループ制御の出力であるＳＩＲ増減値が用いられることにより、故障の発生したベースバンド処理部が特定される。
【０１３０】
これにより、受信された上り物理チャネルのビット判定後のデコーディング処理部（デインタリーブ部２５、チャネル復号部２６）およびその周辺インタフェースにおいて発生した故障を検出することができる。
【０１３１】
このような故障が発生した場合には、各トランスポートブロックのＣＲＣ判定においてＮＧが多発する。ＳＩＲ増減値は、ＣＲＣ判定結果（ＯＫ若しくはＮＧ）に応じて増減するため、ＳＩＲ増減値を監視することにより、当該故障を検出することができる。
【０１３２】
なお、他の方法としてノードＢにおいて設定された呼の全てについてＢＬＥＲ（Block Err Rate）を測定し、比較する方法が考えられるが、ノードＢの実運用中に実施することになるため、全チャネルのＢＬＥＲ測定で多大な処理負荷をかけることは好ましくない。
【０１３３】
本実施形態よれば、アウタループ監視部５２及びベースバンドリソース管理部１９によりこのような信号処理部の詳細な故障を検出することができる。更に、このような信号処理部の故障を検出するにあたり、当該信号処理部の運用を停止させる必要もないため、稼
働率が低下することもない。
【０１３４】
［第三実施形態］
第一実施形態及び第二実施形態では、当該移動通信システムの基地局装置についての態様を説明した。以下、第三実施形態として、第一実施形態及び第二実施形態における基地局装置を含む基地局装置と無線通信を行う移動端末（ＵＥ）について説明する。
【０１３５】
〔システム構成〕
システム構成については、第三実施形態がＵＥが複数の基地局装置と無線通信を行いながら自装置の故障を判定するというものであるから、図１４に示すシステム構成を想定して説明する。図１４は、第三実施形態における移動通信システムのシステム構成例を示す図である。ＵＥ５は、存在位置に応じて、基地局装置７０−１、７０−２及び７０−３の少なくとも１つと無線通信をする。基地局装置７０−１、７０−２及び７０−３は、それぞれ第一実施形態若しくは第二実施形態における基地局装置であってもよいし、それ以外の一般的な基地局装置であってもよい。本実施形態におけるＵＥ５は、当該基地局装置の機能を限定するものではない。
【０１３６】
〔装置構成〕
以下、第三実施形態における移動端末の機能構成の概略について図１５を用いて説明する。図１５は、第三実施形態における移動端末の機能構成例を示す図である。ＵＥ５は、アンテナ７１、無線部７２、無線変調／復調部７３、ベースバンド処理部７４、故障検出部７５、データ処理部７６等を有する。以下、ＵＥ５を構成するこれら各機能部の機能概略を説明する。
【０１３７】
アンテナ７１は、基地局装置７０−１、７０−２及び７０−３の少なくとも１つから送信される下りの無線信号を受信する。アンテナ７１で受信された無線信号（下り信号）は、無線部７２において周波数変換、信号増幅などを施され、無線変調／復調部７３に送られる。無線変調／復調部７３は、無線部７２から送られる信号を復調し、ベースバンド処理部７４に送る。ベースバンド処理部７４から出力されるトランスポートブロックはデータ処理部７６に送られる。
【０１３８】
データ処理部７６は、当該トランスポートブロックを受け、それに含まれるユーザデータ等のデータ処理を行う。一方、基地局装置へ送信されるべきデータがこのデータ処理部７６により生成される。データ処理部７６は、この送信データをトランスポートブロック化し、ベースバンド処理部７４へ送る。
【０１３９】
ベースバンド処理部７４は、このトランスポートブロックを物理チャネルにマッピングした上り信号を生成し、無線変調／復調部７３に送る。無線変調／復調部７３は、この上り信号を所定の方式で変調し、無線部７２に送る。無線部７２は、この変調された上り信号を周波数変換等する。このように生成された上り信号は、アンテナ７１から送信される。
【０１４０】
なお、本発明は、これら機能部のうちベースバンド処理部７４及び故障検出部７５に特徴を有するものである。以下、このベースバンド処理部７４及び故障検出部７５についてそれぞれ説明する。
【０１４１】
〈ベースバンド処理部〉
図１６は、第三実施形態における移動端末のベースバンド処理部の機能構成を示すブロック図である。ベースバンド処理部７４は、逆拡散部８１、ＲＡＫＥ合成部８２、チャネル推定部８３、デインタリーブ部８５、チャネル復号部８６、ＣＲＣ判定部８７、下り電
力制御部９０、アウタループ制御部９１、チャネル符号化部９２、インタリーブ部９３、拡散部９４、上り送信電力値算出部９５、パイロット生成部９７、インナループ監視部１０１等を有する。
【０１４２】
無線変調／復調部７３から送られる下りの復調信号は、逆拡散部８１において自装置（ＵＥ５）に割り当てられている拡散コードで逆拡散され、ＲＡＫＥ合成部８２へ送られる。また、逆拡散されることにより得られた信号からはパイロットシンボルが検出され、この検出されたパイロットシンボルに基づいてチャネル推定部８３によりチャネル推定が行われる。そして、ＲＡＫＥ合成部８２において、マルチパスで伝搬されてきた各信号が当該チャネル推定値で位相補正、振幅補正等がなされ、ＲＡＫＥ合成される。このようにしてＲＡＫＥ合成部２２から出力される下り物理チャネルの制御信号において、それに含まれるＴＰＣビットは、上り送信電力値算出部９５に送られ、同制御信号に含まれるＴＦＣＩは、デインタリーブ部８５に送られる。また、検出されたパイロットシンボルは、下り電力制御部９０へ送られる。
【０１４３】
ＲＡＫＥ合成部８２から出力される下り物理チャネルのデータ信号は、デインタリーブ部８５により上記ＴＦＣＩが用いられることによりデインタリーブされ、上位処理層へ送るための各トランスポートブロックにそれぞれ分割される。各トランスポートブロックはそれぞれチャネル復号部８６により復号される。ＣＲＣ判定部８７は、この復号された各トランスポートブロックに含まれる巡回冗長検査（ＣＲＣ）ビットを判定する。最終的に、復号された各トランスポートブロックは、データ処理部７６へ送られ、ＣＲＣ判定結果（ＣＲＣＩ）は、アウタループ制御部９１へ送られる。
【０１４４】
一方、上り送信信号を構成するトランスポートブロックがデータ処理部７６から送られてくると、これら各トランスポートブロックは、チャネル符号化部９２により符号化され、インタリーブ部９３により所定のフォーマットにおいてインタリーブされることにより、上り物理チャネルで伝送される信号とされる。これらの信号は、拡散部９４によりＵＥ５に割り当てられている拡散コードで拡散され、無線変調／復調部７３へ送られる。
【０１４５】
このとき、上り送信信号には、下り電力制御部９０から送られるＴＰＣビット値が設定され、パイロット生成部９７から送られるパイロット信号が設定され、上り送信電力値算出部９５から送られる送信電力値に応じた送信電力が与えられる。
【０１４６】
このように、ＵＥ５のベースバンド処理部７４においても、ノードＢ１と同様に、インナループ制御及びアウタループ制御が行われる。
【０１４７】
以下、本実施形態において特に特徴のあるインナループ監視部１０１について説明する前に、まず、これに関連する下り電力制御部９０及びアウタループ制御部９１について図１７を用いて説明する。図１７は、ＵＥ５の下り電力制御部９０及びアウタループ制御部９１の機能構成を示すブロック図である。
【０１４８】
〈〈下り電力制御部及びアウタループ制御部〉〉
アウタループ制御部９１は、第一実施形態で説明したＲＮＣ２で実行されるアウタループ制御と同様の制御を実行する。すなわち、アウタループ制御部９１は、ＴＴＩ周期でＣＲＣ判定部８７から送られるＣＲＣＩを受けると、ＳＩＲ増減値（△ｓｉｒ）を更新する。ＣＲＣＩがエラーを示す場合には、ＳＩＲ増減値（△ｓｉｒ）が所定の増加値分（△ｕｐ）増やされ、ＣＲＣＩが正常を示す場合には、ＳＩＲ増減値（△ｓｉｒ）が所定の減少値分（Δｄｏｗｎ）減らされる。アウタループ制御部９１は、このようにして得られたＳＩＲ増減値を所定の制御タイマ（Ｔ＿ＯＬ）周期で下り電力制御部９０に通知する。
【０１４９】
下り電力制御部９０は、第一実施形態で説明した上り電力制御部３０と同様の処理により、下り信号の送信電力を制御するためのＴＰＣビット値を取得する。ＳＩＲ測定部１１１は、ＲＡＫＥ合成部８２から送られてくるパイロットシンボルの受信電力を測定し、ＳＩＲ値を算出する。ＳＩＲ目標値算出部１１３は、アウタループ制御部９１からＳＩＲ増減値（△ｓｉｒ）を制御タイマ（Ｔ＿ＯＬ）周期毎に受け、予めメモリ等に保持されるＳＩＲ初期値（ＳＩＲ＿ｉｎｉ）とこのＳＩＲ増減値（△ｓｉｒ）とを加算して、新たなＳＩＲ目標値（ＳＩＲ＿ｔａｇ）を算出する。
【０１５０】
ＴＰＣビット判定部１１２は、ＳＩＲ測定部１１１により算出されたＳＩＲ測定値がＳＩＲ目標値よりも大きい場合には、下り送信電力を下げることを示すＴＰＣビット値（０）が得て、ＳＩＲ測定値がＳＩＲ目標値よりも小さい場合には、下り送信電力を上げることを示すＴＰＣビット値（１）を得る。このようにして得られたＴＰＣビット値は、上り送信信号に設定される他、インナループ監視部１０１に送られる。
【０１５１】
〈〈インナループ監視部〉〉
以下、インナループ監視部１０１について図１８を用いて説明する。図１８は、インナループ監視部１０１の処理概念を示す図である。インナループ監視部１０１は、所定の機能部の故障検出を以下のように実行する。インナループ監視部１０１において故障検出される機能部としては、例えば、逆拡散部８１より後段処理部であるチャネル推定部８３及びＲＡＫＥ合成部８２がある。
【０１５２】
インナループ監視部１０１は、上述の下り電力制御部９０から出力されるＴＰＣビット値をスロット周期で受け、そのＴＰＣビット値に基づいて電力増減値（△Ｐｏｗ）を更新する。また、インナループ監視部１０１は、一定周期（Ｔ＿ｐｏｗ）でＴＰＣ＿ＯＫ値及びＴＰＣ＿ＮＧ値を更新し、更に、ＣＨ＿ｎｕｍ値及びＮＧ＿ｎｕｍ値を更新する。このようなインナループ監視部１０１の処理は、扱われるＴＰＣビット値が上り信号の送信電力制御のためのものか下り信号の送信電力制御のためのものかが異なる以外は、第一実施形態におけるインナループ監視部５１の処理と同様であるため、詳細については省略する。
【０１５３】
ＵＥ５のインナループ監視部１０１は、第一実施形態のノードＢ１のインナループ監視部５１の処理で更新されるＣＨ＿ｎｕｍ値及びＮＧ＿ｎｕｍ値に加え、異常無線リンク数（ＲＬ＿ｎｕｍ）を以下のようにカウントする。ここで、ＲＬ＿ｎｕｍ値は、初期値が０であり、異常が発生したとみなされる無線リンクの累積数を示す。
【０１５４】
インナループ監視部１０１は、異常呼とみなされた設定呼に関し、その無線リンク番号を保持する。インナループ監視部１０１は、異常呼とみなされた場合に、その設定呼の無線リンク番号が既に保持（登録）されているか否かを確認し、未登録の場合に当該異常無線リンク数（ＲＬ＿ｎｕｍ）を１インクリメントし、その無線リンク番号（ｒｌ）を配列ＲＬ［ＲＬ＿ｎｕｍ］に登録する。例えば、ＴＰＣ＿ＯＫ値がＴＰＣ＿ＯＫ＿ｍａｘに達する前にＴＰＣ＿ＮＧ値がＴＰＣ＿ＮＧ＿ｍａｘに達した場合の設定呼の無線リンク番号をｒｌとし、配列ＲＬ［ｋ］（ｋ＝０からＲＬ＿ｎｕｍ）にｒｌが保持されていない場合に、以下のように処理される。
【０１５５】
ＲＬ＿ｎｕｍ  ＜＝＝  ＲＬ＿ｎｕｍ＋１
ＲＬ［ＲＬ＿ｎｕｍ］  ＜＝＝  ｒｌ
無線リンク番号とは、ＵＥ５の接続先である基地局装置や無線エリア等を特定する情報を特定するものであり、例えば、下り信号に設定されるＰｒｉｍａｒｙ  Ｓｃｒａｍｂｌｉｎｇ  ＣＯＤＥが利用される。なお、ＣＨ＿ｎｕｍ値及びＮＧ＿ｎｕｍ値についても、第一実施形態のノードＢ１のインナループ監視部５１と同様に更新される。このように更
新されたＣＨ＿ｎｕｍ値、ＮＧ＿ｎｕｍ値及びＲＬ＿ｎｕｍ値は、故障検出部７５により利用される。
【０１５６】
〈故障検出部〉
故障検出部７５は、一定時間（ＵＥＴ(ＩＬ)＿ｒｅｆ）間隔において、上述のインナループ監視部１０１からＣＨ＿ｎｕｍ値、ＮＧ＿ｎｕｍ値及びＲＬ＿ｎｕｍ値を読み込み、自装置の故障を判定する。以下、図１９を用いて、故障検出部７５について説明する。図１９は、第三実施形態における故障検出部の機能構成を示す図である。故障検出部７５は、判定対象選択部１２１、発生率算出部１２２、故障判定部１２３等を有する。
【０１５７】
判定対象選択部１２１は、一定時間（ＵＥＴ(ＩＬ)＿ｒｅｆ）間隔で読み込まれたＣＨ＿ｎｕｍ値、ＮＧ＿ｎｕｍ値及びＲＬ＿ｎｕｍ値が故障判定の対象となるか否かを選択する。具体的には、判定対象選択部１２１は、累積呼数（ＣＨ＿ｎｕｍ）が所定の閾値（ＣＨ＿ｎｕｍ＿ｍｉｎ）未満となる場合に、そのとき読み込まれた値を以降の故障判定の対象から除外する。累積呼数が少ない場合には、故障判定の精度が悪くなるからである。そこで、ＣＨ＿ｎｕｍ＿ｍｉｎは、故障判定を行うための呼のサンプル数として十分な値に設定され、予めメモリ等に調整可能な値として保持される。
【０１５８】
更に、判定対象選択部１２１は、異常無線リンク数（ＲＬ＿ｎｕｍ）が所定の閾値（ＲＬ＿ｎｕｍ＿ｍｉｎ）未満となる場合に、そのとき読み込まれた値を以降の故障判定の対象から除外する。異常無線リンク数が少ない場合には、基地局装置側の故障かＵＥ５の故障かを判別することが難しいため、故障判定の精度が悪くなるからである。そこで、ＲＬ＿ｎｕｍ＿ｍｉｎは、故障判定を行うための無線リンクのサンプル数として十分な値に設定され、予めメモリ等に調整可能な値として保持される。
【０１５９】
判定対象選択部１２１は、故障判定の対象となるとみなされた場合に、ＣＨ＿ｎｕｍ値、ＮＧ＿ｎｕｍ値及びＲＬ＿ｎｕｍ値をそれぞれ発生率算出部１２２に渡す。
【０１６０】
発生率算出部１２２は、判定対象選択部１２１から送られる各値に基づいて、異常呼発生率Ｐを以下のようにそれぞれ算出する。算出された異常呼発生率Ｐは故障判定部１２３に送られる。
【０１６１】
異常呼発生率:Ｐ  ＝  ＮＧ＿ｎｕｍ  ／  ＣＨ＿ｎｕｍ
故障判定部１２３は、発生率算出部１２２から送られる異常呼発生率Ｐに基づき、自装置に故障が発生しているか否かを判定する。具体的には、故障判定部１２３は、異常呼発生率Ｐが予めメモリ等に調整可能に保持される異常呼発生率の閾値Ｐ＿ＮＧより大きいと判断した場合に、自装置に故障が発生していると判定する。
【０１６２】
〔動作例〕
次に、第三実施形態における移動端末の動作例について説明する。
【０１６３】
ＵＥ５は、その存在位置に応じて、複数の基地局装置７０−１、７０−２及び７０−３の少なくとも１つと無線通信を行う。基地局装置から送信された無線信号は、アンテナ７１で受信され、無線部７２で増幅され、無線変調／復調部７３において変調され、ベースバンド処理部７４に送られる。ベースバンド処理部７４では、呼設定された信号に関し、デインタリーブ、チャネル復号等の信号処理が施され、トランスポートブロックが抽出される。このように取得されたトランスポートブロックは、データ処理部７６に送られる。
【０１６４】
また、ベースバンド処理部７４では、受信された下り信号からパイロットシンボルが検出され、そのパイロットシンボルを用いたインナループ制御が実行される。このインナル
ープ制御により取得されるＴＰＣビットは、チャネル符号化、インタリーブ等が施された上り送信信号に設定される。このように生成された上り信号は、無線部７２において周波数変換され、アンテナ７１から基地局装置へ送信される。
【０１６５】
更に、ＵＥ５では、アウタループ制御部９１によりアウタループ制御が実行される。すなわち、アウタループ制御部９１は、ＣＲＣ判定部８７から送られるトランスポートブロック毎のＣＲＣＩに基づき、ＴＴＩ（Trasmission Time Interval）周期でＳＩＲ増減値
（△ｓｉｒ）を更新する。このＳＩＲ増減値は、制御タイマ（Ｔ＿ＯＬ）周期でベースバンド処理部７４の下り電力制御部９０に通知され、インナループ制御に利用される。
【０１６６】
本実施形態におけるＵＥ５では、ベースバンド処理部７４に備えられるインナループ監視部１０１及び故障検出部７５が、自装置の故障の発生を検出する。
【０１６７】
インナループ監視部１０１は、下り電力制御部９０からスロット周期で出力されるインナループ制御の結果であるＴＰＣビットを受け、このＴＰＣビットに基づいて、そのベースバンド処理部において処理された累積呼数（ＣＨ＿ｎｕｍ）、累積異常呼数（ＮＧ＿ｎｕｍ）及び異常無線リンク数（ＲＬ＿ｎｕｍ）を取得する。
【０１６８】
インナループ監視部１０１は、ＴＰＣビットの入力に応じて更新される電力増減値（△Ｐｏｗ）と予め保持される電力増減閾値（△Ｐｏｗ＿ｍａｘ）との比較により、一定周期（Ｔ＿ｐｏｗ）において電力増減値が極端に大きい（電力増減閾値より大きい）と判断された回数（ＴＰＣ＿ＮＧ値）とそうでない回数（ＴＰＣ＿ＯＫ値）を求める。
【０１６９】
インナループ監視部１０１は、電力増減値が極端に大きいわけではないと判断された回数（ＴＰＣ＿ＯＫ値）が正常閾値（ＴＰＣ＿ＯＫ＿ｍａｘ）より大きいと判断されるより前に、電力増減値が極端に大きいと判断された回数（ＴＰＣ＿ＮＧ値）が異常閾値（ＴＰＣ＿ＮＧ＿ｍａｘ）より大きいと判断された場合に、そのときの呼を異常呼としてカウントする（ＮＧ＿ｎｕｍ値をインクリメントする）。
【０１７０】
更に、インナループ監視部１０１は、異常呼とみなされた設定呼に関し、その無線リンク番号を保持することにより同一無線リンクが重複してカウントされないように、異常呼とみなされた無線リンクの数（ＲＬ＿ｎｕｍ）をカウントする。
【０１７１】
このように累積されるＮＧ＿ｎｕｍ値、ＣＨ＿ｎｕｍ値及びＲＬ＿ｎｕｍ値は、一定時間（ＵＥＴ（ＩＬ）＿ｒｅｆ）間隔で故障検出部７５に読み込まれ、その後、初期化される。
【０１７２】
故障検出部７５は、これら各値に基づいて、自装置の故障の発生を検出する。これには、まず、判定対象選択部１２１により、これらの値が、累積呼数が故障判定する上で最低限必要と考えられる呼数（ＣＨ＿ｎｕｍ＿ｍｉｎ）に満たない場合若しくは異常無線リンク数が故障判定する上で最低限必要と考えられる数（ＲＬ＿ｎｕｍ＿ｍｉｎ）に満たない場合には、以降の故障判定処理の対象から除外される。
【０１７３】
故障判定の対象として選択された場合には、その累積呼数及び累積異常呼数に基づいて、異常呼発生率Ｐが発生率算出部１２２により算出される。
【０１７４】
最終的には、故障判定部１２３により、この異常呼発生率Ｐが所定の閾値（Ｐ＿ＮＧ）を超える場合に、自装置に故障が発生していると判定される。
【０１７５】
〈第三実施形態における作用及び効果〉
すなわち、第三実施形態における移動端末では、ベースバンド処理部７４に備えられるインナループ監視部１０１及び故障検出部７５によって、自装置の故障の発生が検出される。
【０１７６】
ベースバンド処理部７４のインナループ監視部１０１では、設定呼（チャネル）に関し、下り電力制御部９０で得られるＴＰＣビットがスロット周期で入力され、このＴＰＣビット値の時間加算が行われる（電力増減値（△Ｐｏｗ））。結果として、インナループ監視部１０１では、当該ベースバンド処理部７４に設定される呼の累積数（ＣＨ＿ｎｕｍ値）と、この電力増減値が極端に高くなる現象が生ずる異常呼の累積数（ＮＧ＿ｎｕｍ値）と、異常呼とみなされた際の重複しない無線リンクの数（ＲＬ＿ｎｕｍ）とがそれぞれカウントされる。
【０１７７】
これらベースバンド処理部７４で得られた呼の累積数（ＣＨ＿ｎｕｍ値）と異常呼の累積数（ＮＧ＿ｎｕｍ値）と異常無線リンク数（ＲＬ＿ｎｕｍ値）が故障検出部７５に読み込まれ、この故障検出部７５によって自装置の故障が判定される。この判定では、呼の累積数及び異常無線リンク数が正確な故障判定をするうえで必要な呼数となっているものが選択され、各ベースバンド処理部について算出される異常呼発生率が用いられる。
【０１７８】
このように、本実施形態における移動端末では、第一実施形態における基地局装置と同様に、ベースバンド処理部におけるインナループ制御の出力であるＴＰＣビットが用いられることにより、自装置の故障の発生が検知される。移動端末においては、１つの基地局装置との間で異常呼が多発する場合には、移動端末と基地局装置とどちらに故障が発生しているのか判別することができないため、異常呼とみなされた際の無線リンクの数が利用され、故障判定の対象とし得るデータが選択される。
【０１７９】
これにより、下り信号の同期確立後のチャネル推定部８３、ＲＡＫＥ合成部８２及びその周辺インタフェースにおいて発生した故障を検出することができるようになる。
【０１８０】
すなわち、本実施形態よれば、インナループ監視部１０１及び故障検出部７５によりこのような信号処理部の詳細な故障を検出することができる。更に、このような信号処理部の故障を検出するにあたり、当該信号処理部の運用を停止させる必要もないため、稼働率が低下することもない。
【０１８１】
［第四実施形態］
以下、第四実施形態として、第一実施形態及び第二実施形態における基地局装置を含む基地局装置と無線通信を行う移動端末（ＵＥ）について説明する。先に説明した第三実施形態における移動端末は、インナループ制御の結果としての出力であるＴＰＣビットを用いて自装置の故障を判定していた。第四実施形態における移動端末は、アウタループ制御の結果としての出力であるＳＩＲ増減値（△ｓｉｒ）を用いて自装置の故障を判定する。
【０１８２】
〔システム構成〕
システム構成については、図１４に示す第三実施形態と同様であるため、説明を省略する。本実施形態におけるＵＥ５も、当該基地局装置の機能を限定するものではない。
【０１８３】
〔装置構成〕
第四実施形態における移動端末は、ベースバンド処理部７４の機能のみが第三実施形態と異なるため、以下にはベースバンド処理部７４の機能について図２０を用いて説明する。図２０は、第四実施形態におけるベースバンド処理部７４の機能構成を示すブロック図である。
【０１８４】
〈ベースバンド処理部〉
第四実施形態におけるベースバンド処理部７４は、第三実施形態におけるインナループ監視部１０１に替え、アウタループ監視部１０２を備える。このアウタループ監視部１０２以外の機能部については、第一実施形態と同様であるため、ここでは説明を省略する。
【０１８５】
〈〈アウタループ監視部〉〉
以下、アウタループ監視部１０２について図２１を用いて説明する。図２１は、アウタループ監視部１０２の処理概念を示す図である。アウタループ監視部１０２は、所定の機能部の故障検出を以下のように実行する。アウタループ監視部１０２において故障検出される機能部としては、例えば、下り物理チャネルビット判定以後の処理部であるデインタリーブ部８５及びチャネル復号部８６がある。
【０１８６】
本実施形態では、アウタループ制御部９１から出力されるＳＩＲ増減値（△ｓｉｒ）が下り電力制御部９０に渡されるのと共に、制御タイマ（Ｔ＿ＯＬ）周期でアウタループ監視部１０２にも送られる。このＳＩＲ増減値は、アウタループ監視部１０２で保持される。
【０１８７】
アウタループ監視部１０２は、一定時間（Ｔ＿ｓｉｒ）間隔でその時点でのＳＩＲ増減値（△ｓｉｒ）を読み出し、予めメモリ等に保持されるＳＩＲ増減閾値（△ｓｉｒ＿ｍａｘ）と比較を行うことにより、ＳＩＲ＿ＯＫ値もしくはＳＩＲ＿ＮＧ値を更新し、更に、ＣＨ＿ｎｕｍ値及びＮＧ＿ｎｕｍ値を更新する。このようなアウタループ監視部１０２の処理は、第二実施形態におけるアウタループ監視部５２の処理と同様であるため、詳細については省略する。
【０１８８】
ＵＥ５のアウタループ監視部１０２は、第二実施形態のノードＢ１のアウタループ監視部５２の処理で更新されるＣＨ＿ｎｕｍ値及びＮＧ＿ｎｕｍ値に加え、異常無線リンク数（ＲＬ＿ｎｕｍ）を以下のようにカウントする。ここで、ＲＬ＿ｎｕｍ値は、初期値が０であり、異常が発生したとみなされる無線リンクの累積数を示す。
【０１８９】
アウタループ監視部１０２は、異常呼とみなされた設定呼に関し、その無線リンク番号を保持する。アウタループ監視部１０２は、異常呼とみなされた場合に、その設定呼の無線リンク番号が既に保持（登録）されているか否かを確認し、未登録の場合に当該異常無線リンク数（ＲＬ＿ｎｕｍ）を１インクリメントし、その無線リンク番号（ｒｌ）を配列ＲＬ［ＲＬ＿ｎｕｍ］に登録する。例えば、ＳＩＲ＿ＯＫ値がＳＩＲ＿ＯＫ＿ｍａｘに達する前にＳＩＲ＿ＮＧ値がＳＩＲ＿ＮＧ＿ｍａｘ（原則として、「２」が設定される）に達した場合の設定呼の無線リンク番号をｒｌとし、配列ＲＬ［ｋ］（ｋ＝０からＲＬ＿ｎｕｍ）にｒｌが保持されていない場合に、以下のように処理される。
【０１９０】
ＲＬ＿ｎｕｍ  ＜＝＝  ＲＬ＿ｎｕｍ＋１
ＲＬ［ＲＬ＿ｎｕｍ］  ＜＝＝  ｒｌ
この無線リンク番号とは、第三実施形態において説明したように、ＵＥ５の接続先である基地局装置や無線エリア等を特定する情報を特定するものである。なお、ＣＨ＿ｎｕｍ値及びＮＧ＿ｎｕｍ値についても、第二実施形態のノードＢ１のアウタループ監視部５２と同様に更新される。このように更新されたＣＨ＿ｎｕｍ値、ＮＧ＿ｎｕｍ値及びＲＬ＿ｎｕｍ値は、故障検出部７５により利用される。
【０１９１】
〈故障検出部〉
故障検出部７５は、一定時間（ＵＥＴ(ＯＬ)＿ｒｅｆ）間隔において、上述のアウタループ監視部１０２からＣＨ＿ｎｕｍ値、ＮＧ＿ｎｕｍ値及びＲＬ＿ｎｕｍ値を読み込み、自装置の故障を判定する。図２２は、第四実施形態における故障検出部の機能構成を示す
図である。
【０１９２】
第四実施形態における故障検出部７５は、アウタループ監視部１０２から各値を読み込むことにおいてのみ第三実施形態と異なり、それ以外の処理については第三実施形態と同様であるため、ここでは説明を省略する。
【０１９３】
〔動作例〕
次に、第四実施形態における移動端末の動作例について説明する。
【０１９４】
第四実施形態における移動端末は、アウタループ制御部９１におけるアウタループ制御の出力であるＳＩＲ増減値（△ｓｉｒ）を用いて自装置の故障を判定する。すなわち、本実施形態における移動端末では、ベースバンド処理部７４に備えられるアウタループ監視部１０２及び故障検出部７５が自装置の故障を検出する。
【０１９５】
アウタループ監視部１０２は、アウタループ制御部９１から出力されるＳＩＲ増減値（△ｓｉｒ）を一定周期（Ｔ＿ｓｉｒ）で参照し、このＳＩＲ増減値（△ｓｉｒ）に基づいて、そのベースバンド処理部において処理された累積呼数（ＣＨ＿ｎｕｍ）、累積異常呼数（ＮＧ＿ｎｕｍ）及び異常無線リンク数（ＲＬ＿ｎｕｍ）を得る。
【０１９６】
アウタループ監視部１０２は、当該ＳＩＲ増減値（△ｓｉｒ）と予め保持されるＳＩＲ増減閾値（△Ｓｉｒ＿ｍａｘ）との比較により、一定周期（Ｔ＿ｓｉｒ）においてＳＩＲ増減値が極端に大きく（ＳＩＲ増減閾値より大きく）、前回参照時のＳＩＲ増減値よりも更に大きくなっていると判断された回数（ＳＩＲ＿ＮＧ値）とそうでない回数（ＳＩＲ＿ＯＫ値）を求める。
【０１９７】
アウタループ監視部１０２は、このＳＩＲ＿ＯＫ値が正常閾値（ＳＩＲ＿ＯＫ＿ｍａｘ）より大きいと判断されるより前に、ＳＩＲ増減値が極端に継続的に大きいと判断された回数（ＴＰＣ＿ＮＧ値）が異常閾値（ＳＩＲ＿ＮＧ＿ｍａｘ（本実施形態では「２」を採用））より大きいと判断された場合に、そのときの呼を異常呼としてカウントする（ＮＧ＿ｎｕｍ値をインクリメントする）。
【０１９８】
更に、アウタループ監視部１０２は、異常呼とみなされた設定呼に関し、その無線リンク番号を保持することにより同一無線リンクが重複してカウントされないように、異常呼とみなされた際の無線リンクの数（ＲＬ＿ｎｕｍ）をカウントする。
【０１９９】
このように累積されるＮＧ＿ｎｕｍ値、ＣＨ＿ｎｕｍ値及びＲＬ＿ｎｕｍ値は、一定時間（ＵＥＴ（ＯＬ）＿ｒｅｆ）間隔で故障検出部７５に読み込まれ、その後、初期化される。
【０２００】
故障検出部７５は、第三実施形態と同様に、これら各値に基づいて、自装置の故障の発生を検出する。
【０２０１】
〈第四実施形態における作用及び効果〉
すなわち、第四実施形態における移動端末では、ベースバンド処理部７４に備えられるアウタループ監視部１０２及び故障検出部７５によって、自装置の故障の発生が検出される。
【０２０２】
アウタループ監視部１０２では、設定呼（チャネル）に関し、アウタループ制御部９１のアウタループ制御により出力されるＳＩＲ増減値（△ｓｉｒ）が極端に継続的に大きくなる状態及びそれ以外の通常の状態が監視される（ＳＩＲ＿ＮＧ値及びＳＩＲ＿ＯＫ値）
。更に、設定呼の累積数（ＣＨ＿ｎｕｍ値）と、このＳＩＲ増減値が極端に継続的に大きくなる状態となる異常呼の累積数（ＮＧ＿ｎｕｍ値）と、異常呼とみなされた際の重複しない無線リンクの数（ＲＬ＿ｎｕｍ）とがそれぞれカウントされる。
【０２０３】
これらベースバンド処理部７４で得られた呼の累積数（ＣＨ＿ｎｕｍ値）と異常呼の累積数（ＮＧ＿ｎｕｍ値）と異常無線リンク数（ＲＬ＿ｎｕｍ値）が故障検出部７５に読み込まれ、第三実施形態と同様に、この故障検出部７５によって自装置の故障が判定される。
【０２０４】
このように、本実施形態における移動端末では、アウタループ制御部９１の出力であるＳＩＲ増減値が用いられることにより、自装置の故障が判定される。
【０２０５】
これにより、受信された下り物理チャネルのビット判定後のデコーディング処理部（デインタリーブ部８５、チャネル復号部８６）およびその周辺インタフェースにおいて発生した故障を検出することができる。
【０２０６】
すなわち、本実施形態よれば、アウタループ監視部１０２及び故障検出部７５によりこのような信号処理部の詳細な故障を検出することができる。更に、このような信号処理部の故障を検出するにあたり、当該信号処理部の運用を停止させる必要もないため、稼働率が低下することもない。
【０２０７】
[その他]
本実施形態は次の発明を開示する。各項に開示される発明は、必要に応じて可能な限り組み合わせることができる。
【０２０８】
（付記１）
割り当てられた設定呼に関する信号処理を行うベースバンド処理手段を複数備える基地局装置の故障検出装置において、
前記各ベースバンド処理手段に対してそれぞれ設けられ、その対象ベースバンド処理手段に割り当てられた設定呼の上りチャネルに関する送信電力制御で利用される情報に基づいて、当該対象ベースバンド処理手段に設定された累積呼数及びそのうちの異常呼数をカウントする複数の監視手段と、
前記各監視手段により得られる各ベースバンド処理手段の異常呼数及び累積呼数をそれぞれ収集し、前記複数のベースバンド処理手段のうち故障の発生しているベースバンド処理手段を判定する判定手段と、
を備える基地局装置の故障検出装置。（１）
【０２０９】
（付記２）
前記送信電力制御で利用される情報は、対象ベースバンド処理手段に割り当てられた設定呼を形成する下り信号に設定される送信電力制御情報である付記１に記載の基地局装置の故障検出装置。（２）
【０２１０】
（付記３）
前記各監視手段は、
前記送信電力制御情報に対応する送信電力増減値を算出する算出手段と、
前記送信電力増減値を所定の周期で参照し、参照時における送信電力増減値が所定の閾値より大きくなる異常回数及びそれ以外の正常回数をそれぞれカウントするカウント手段と、
前記カウント手段により得られる異常回数及び正常回数に基づいて、その正常回数が所定の閾値より大きくなる前に異常回数が所定の閾値より大きくなる呼を異常呼と判断す
る判断手段と、
をそれぞれ有する付記２に記載の基地局装置の故障検出装置。（３）
【０２１１】
（付記４）
前記送信電力制御情報は、前記設定呼を形成する上り信号に含まれるパイロット信号に基づいて出力されるＴＰＣビットである付記２に記載の基地局装置の故障検出装置。
【０２１２】
（付記５）
前記判定手段は、
前記複数のベースバンド処理手段のうち、前記各監視手段により得られる累積呼数が所定の呼数閾値より大きいベースバンド処理手段を故障判定の対象として選択する選択手段と、
前記選択手段により選択された各ベースバンド処理手段に関し、累積呼数のうちの異常呼数の割合となる異常呼発生率をそれぞれ算出する発生率算出手段と、
を有し、
前記選択手段により選択されたベースバンド処理手段の中から、前記発生率算出手段により算出される異常呼発生率が所定の発生率閾値より大きいベースバンド処理手段を故障の発生しているベースバンド処理手段として判定する、
付記１に記載の基地局装置の故障検出装置。（４）
【０２１３】
（付記６）
前記判定手段は、
前記発生率算出手段により算出された異常呼発生率が所定の異常呼発生率閾値よりも大きいベースバンド処理手段を故障ベースバンド処理手段と予測し、異常呼発生率が所定の正常呼発生率閾値よりも小さいベースバンド処理手段を正常ベースバンド処理手段と予測し、この故障ベースバンド処理手段の数及び正常ベースバンド処理手段の数を取得する予測手段を更に有し、
前記故障ベースバンド処理手段の数が故障判定の対象として選択されたベースバンド処理手段の数に対する故障ベースバンド処理手段の数の所定の故障比率閾値より小さく、前記正常ベースバンド処理手段の数が故障判定の対象として選択されたベースバンド処理手段の数に対する正常ベースバンド処理手段の数の所定の正常比率閾値より大きい場合に、その故障と予測されたベースバンド処理手段を故障の発生しているベースバンド処理手段として判定する、
付記５に記載の基地局装置の故障検出装置。（５）
【０２１４】
（付記７）
前記送信電力制御で利用される情報は、対象ベースバンド処理手段に割り当てられた設定呼の上りチャネルに関する送信電力制御に利用される信号干渉電力比の増減値である付記１に記載の基地局装置の故障検出装置。（６）
【０２１５】
（付記８）
前記各監視手段は、
前記信号干渉電力比の増減値を所定の周期で参照し、参照時における信号干渉電力比の増減値が前回参照時よりも大きく、かつ、所定の閾値より大きくなる異常回数及びそれ以外の正常回数をそれぞれカウントするカウント手段と、
前記カウント手段により得られる異常回数及び正常回数に基づいて、その正常回数が所定の閾値より大きくなる前に異常回数が所定の閾値より大きくなる呼を異常呼と判断する判断手段と、
をそれぞれ有する付記７に記載の基地局装置の故障検出装置。（７）
【０２１６】
（付記９）
通信相手となる基地局装置を切り替えながら無線通信を行う移動端末の故障検出を行う故障検出装置において、
前記通信相手となる基地局装置との間の下りチャネルに関する送信電力制御で利用される情報に基づいて、ベースバンド処理手段に設定された累積呼数、そのうちの異常呼数及び異常無線リンク数をカウントする監視手段と、
前記監視手段により得られる異常呼数、累積呼数及異常無線リンク数に基づいて、自装置の故障を判定する判定手段と、
を備える移動端末の故障検出装置。（８）
【０２１７】
（付記１０）
前記送信電力制御で利用される情報は、前記通信相手となる基地局装置へ送信される上り信号に設定される送信電力制御情報である付記９に記載の移動端末の故障検出装置。
【０２１８】
（付記１１）
前記監視手段は、
前記送信電力制御情報に対応する送信電力増減値を算出する算出手段と、
前記送信電力増減値を所定の周期で参照し、参照時における送信電力増減値が所定の閾値より大きくなる異常回数及びそれ以外の正常回数をそれぞれカウントするカウント手段と、
前記カウント手段により得られる異常回数及び正常回数に基づいて、その正常回数が所定の閾値より大きくなる前に異常回数が所定の閾値より大きくなる呼を異常呼と判断する判断手段と、
を有する付記１０に記載の移動端末の故障検出装置。
【０２１９】
（付記１２）
前記送信電力制御情報は、前記通信相手となる基地局装置からの下り信号に含まれるパイロット信号に基づいて出力されるＴＰＣビットである付記１０に記載の移動端末の故障検出装置。
【０２２０】
（付記１３）
前記判定手段は、
前記監視手段により得られる累積呼数が所定の呼数閾値より大きく、異常無線リンク数が所定のリンク数閾値より大きい場合に、累積呼数のうちの異常呼数の割合となる異常呼発生率を算出する発生率算出手段を有し、
前記発生率算出手段により算出された異常呼発生率が所定の異常呼発生率閾値よりも大きい場合に、自装置に故障が発生していると判定する、
付記９に記載の移動端末の故障検出装置。
【０２２１】
（付記１４）
前記送信電力制御で利用される情報は、前記通信相手となる基地局装置との間の下りチャネルに関する送信電力制御で利用される信号干渉電力比の増減値である付記９に記載の移動端末の故障検出装置。
【０２２２】
（付記１５）
前記監視手段は、
前記信号干渉電力比の増減値を所定の周期で参照し、参照時における信号干渉電力比の増減値が前回参照時よりも大きく、かつ、所定の閾値より大きくなる異常回数及びそれ以外の正常回数をそれぞれカウントするカウント手段と、
前記カウント手段により得られる異常回数及び正常回数に基づいて、その正常回数が
所定の閾値より大きくなる前に異常回数が所定の閾値より大きくなる呼を異常呼と判断する判断手段と、
を有する付記１４に記載の移動端末の故障検出装置。
【０２２３】
（付記１６）
割り当てられた設定呼に関する信号処理を行うベースバンド処理手段を複数備える基地局装置の故障検出を行う故障検出方法において、
前記各ベースバンド処理手段に対して、その対象ベースバンド処理手段に割り当てられた設定呼の上りチャネルに関する送信電力制御に利用される情報に基づいて、当該対象ベースバンド処理手段に設定された累積呼数及びそのうちの異常呼数をそれぞれカウントする監視ステップと、
前記監視ステップにより得られる各ベースバンド処理手段の異常呼数及び累積呼数をそれぞれ収集し、前記複数のベースバンド処理手段のうち故障の発生しているベースバンド処理手段を判定する判定ステップと、
を備える基地局装置の故障検出方法。（９）
【０２２４】
（付記１７）
通信相手となる基地局装置を切り替えながら無線通信を行う移動端末の故障検出を行う故障検出方法において、
前記通信相手となる基地局装置との間の下りチャネルに関する送信電力制御で利用される情報に基づいて、ベースバンド処理手段に設定された累積呼数、そのうちの異常呼数及び異常無線リンク数をカウントする監視ステップと、
前記監視ステップにより得られる異常呼数、累積呼数及異常無線リンク数に基づいて、自装置の故障を判定する判定ステップと、
を備える移動端末の故障検出方法。（１０）
【図面の簡単な説明】
【０２２５】
【図１】第一実施形態における移動通信システムのシステム構成を示す図である。
【図２】第一実施形態におけるベースバンド処理部の機能構成を示す図である。
【図３】第一実施形態における上り電力制御部の機能構成を示す図である。
【図４】インナループ監視部の処理概念を示す図である。
【図５】インナループ監視部におけるＴＰＣ＿ＯＫ値及びＴＰＣ＿ＮＧ値の更新の例を示す図である。
【図６】第一実施形態におけるベースバンドリソース管理部の機能構成を示す図である。
【図７】第二実施形態におけるベースバンド処理部の機能構成を示す図である。
【図８】第二実施形態における上り電力制御部の機能構成を示す図である。
【図９】アウタループ監視部の処理概念を示す図である。
【図１０】アウタループ監視部におけるＳＩＲ＿ＯＫ値及びＳＩＲ＿ＮＧ値の更新に関する第１の例を示す図である。
【図１１】アウタループ監視部におけるＳＩＲ＿ＯＫ値及びＳＩＲ＿ＮＧ値の更新に関する第２の例を示す図である。
【図１２】アウタループ監視部におけるＳＩＲ＿ＯＫ値及びＳＩＲ＿ＮＧ値の更新に関する第３の例を示す図である。
【図１３】第二実施形態におけるベースバンドリソース管理部の機能構成を示す図である。
【図１４】第三実施形態における移動通信システムのシステム構成例を示す図である。
【図１５】第三実施形態における移動端末の機能構成例を示す図である。
【図１６】第三実施形態における移動端末のベースバンド処理部の機能構成を示す図である。
【図１７】第三実施形態における移動端末の下り電力制御部及びアウタループ制御部の機能構成を示す図である。
【図１８】第三実施形態における移動端末のインナループ監視部の処理概念を示す図である。
【図１９】第三実施形態における故障検出部の機能構成を示す図である。
【図２０】第四実施形態における移動端末のベースバンド処理部の機能構成を示す図である。
【図２１】第三実施形態における移動端末のアウタループ監視部の処理概念を示す図である。
【図２２】第四実施形態における故障検出部の機能構成を示す図である。
【図２３】従来のＣＤＭＡ移動通信システムにおけるノードＢ周辺のシステム構成の例を示す図である。
【図２４】従来のノードＢにおけるベースバンド処理部の機能構成を示す図である。
【図２５】従来の送信電力制御を示す図である。
【符号の説明】
【０２２６】
１  ノードＢ
２  無線ネットワーク制御装置（ＲＮＣ）
５  移動端末（ＵＥ）
１０、７４  ベースバンド処理部（１）−（Ｎ）、ベースバンド処理部
１１、７３  無線変調／復調部
１２  ハイウェイインタフェース部
１５、７１  アンテナ
１６  屋外受信増幅器（ＯＡ−ＲＡ）
１７  アンプ部
１９  ベースバンドリソース管理部
２１、８１  逆拡散部
２２、８２  ＲＡＫＥ合成部
２３、８３  チャネル推定部
２５、８５  デインタリーブ部
２６、８６  チャネル復号部
２７、８７  ＣＲＣ判定部
３０  上り電力制御部
３１、９２  チャネル符号化部
３２、９３  インタリーブ部
３３、９４  拡散部
３５  下り送信電力値算出部
３７、９７  パイロット生成部
５１、１０１  インナループ監視部
５２、１０２  アウタループ監視部
４１、１１１  ＳＩＲ測定部
４３、１１３  ＳＩＲ目標値算出部
４２、１１２  ＴＰＣビット判定部
６１、１２１  判定対象選択部
６２、１２２  発生率算出部
６３  前判定部
６４  故障リソース判定部
７０−１、７０−２、７０−３  基地局装置
７２  無線部
７５  故障検出部
７６  データ処理部
９０  下り電力制御部
９１  アウタループ制御部
９５  上り送信電力値算出部
１２３  故障判定部
【図１】
2008048160.tif 000003
【図２】
2008048160.tif 000004
【図３】
2008048160.tif 000005
【図４】
2008048160.tif 000006
【図５】
2008048160.tif 000007
【図６】
2008048160.tif 000008
【図７】
2008048160.tif 000009
【図８】
2008048160.tif 000010
【図９】
2008048160.tif 000011
【図１０】
2008048160.tif 000012
【図１１】
2008048160.tif 000013
【図１２】
2008048160.tif 000014
【図１３】
2008048160.tif 000015
【図１４】
2008048160.tif 000016
【図１５】
2008048160.tif 000017
【図１６】
2008048160.tif 000018
【図１７】
2008048160.tif 000019
【図１８】
2008048160.tif 000020
【図１９】
2008048160.tif 000021
【図２０】
2008048160.tif 000022
【図２１】
2008048160.tif 000023
【図２２】
2008048160.tif 000024
【図２３】
2008048160.tif 000025
【図２４】
2008048160.tif 000026
【図２５】
2008048160.tif 000027